(57)【特許請求の範囲】
【請求項１】
無線通信システムにおいて動作可能なｅノードＢで使用される方法であって、
移動体デバイスによって作成された測定報告メッセージを、ソースノードを通じてターゲットノードによって受信することと、
前記測定報告メッセージを、前記ターゲットノードによって、処理して、ハンドオーバコマンドメッセージを作成することと、
を備える方法。
【請求項２】
前記無線通信システムにおいてハンドオーバ完了インジケータを生成することを容易にするために、前記測定報告メッセージ内に含まれた追加情報を処理すること、をさらに備える請求項１に記載の方法。
【請求項３】
前記測定報告メッセージに関連する移動体デバイスに関するハンドオーバ決定を、前記ターゲットノードによって、決定すること、をさらに備える請求項１に記載の方法。
【請求項４】
前記ターゲットノードによって、ハンドオーバコマンドを前記移動体デバイスに送信すること、をさらに備え、前記ハンドオーバコマンドは、前記無線通信システムにおいて前記ハンドオーバ完了インジケータを生成することを容易にするために、補足情報を含む、請求項３に記載の方法。
【請求項５】
無線通信システムにおけるｅノードＢ間転送のために移動体デバイスで使用される方法であって、
ｅノードＢ間メッセージ内へのソースノードカプセル化のために測定報告メッセージを、前記移動体デバイスによって、ターゲットノードに転送するソースノードに送信することと、
前記ターゲットノードから前記ソースノードを介して転送されたソースノードカプセル化されたハンドオーバコマンドメッセージを、前記移動体デバイスによって、受信することと、
を備える方法。
【請求項６】
前記無線通信システムにおいてハンドオーバ完了インジケータを生成することを容易にするために、前記カプセル化されたハンドオーバコマンドメッセージ内に含まれた補足情報を、前記移動体デバイスによって、処理すること、をさらに備える請求項５に記載の方法。
【請求項７】
前記無線通信システムにおいて前記ハンドオーバ完了インジケータを生成することを容易にするために、前記測定報告メッセージに追加情報を添付すること、をさらに備える請求項５に記載の方法。
【請求項８】
移動体デバイスによって作成された測定報告メッセージを、ソースノードを通じてターゲットノードによって受信し、そして処理して、ハンドオーバコマンドメッセージを作成するための命令を保持するメモリと、
前記メモリ内で前記命令を実行するように構成されたプロセッサと、
を備えるｅノードＢ。
【請求項９】
前記処理するための命令は、ハンドオーバ完了表示を作成するために前記測定報告メッセージ内に含まれた追加情報を処理するための命令、をさらに備える、請求項８に記載のｅノードＢ。
【請求項１０】
前記処理するための命令は、前記測定報告メッセージに関連する無線端末に関するハンドオーバ決定を、前記ターゲットノードによって、決定するための命令、をさらに備える、請求項８に記載のｅノードＢ。
【請求項１１】
前記メモリは、前記ターゲットノードによって、ハンドオーバコマンドメッセージを前記無線端末に送信するための命令をさらに保持し、前記ハンドオーバコマンドメッセージは、前記ハンドオーバ完了表示を作成することを容易にするために補足情報を含む、請求項１０に記載のｅノードＢ。
【請求項１２】
ｅノードＢ間メッセージ内へのソースノードカプセル化のために、ソースノードへの測定報告メッセージを、ターゲットノードに転送するソースノードに送信するための命令と、そして、前記ターゲットノードから前記ソースノードを介して転送されたソースノードカプセル化されたハンドオーバコマンドメッセージを受信するための命令を保持するメモリと、
前記メモリ内で前記命令を実行するように構成されたプロセッサと、
を備える移動体デバイス。
【請求項１３】
前記メモリは、ハンドオーバ完了表示を生成することを容易にするために、前記カプセル化されたハンドオーバコマンドメッセージ内に含まれた補足情報を処理するための命令を、さらに保持する、請求項１２に記載の移動体デバイス。
【請求項１４】
前記メモリは、前記ハンドオーバ完了インジケータを生成することを容易にするために、追加情報を前記測定報告メッセージに添付するための命令を、さらに保持する、請求項１２に記載の移動体デバイス。
【請求項１５】
無線通信システムにおいて動作可能なｅノードＢであって、前記ｅノードＢは、
移動体デバイスによって作成された測定報告メッセージを、ソースノードを通じてターゲットノードによって受信するための手段と、
前記測定報告メッセージを、前記ターゲットノードによって、処理して、ハンドオーバコマンドメッセージを作成するための手段と、
を備える、
ｅノードＢ。
【請求項１６】
前記無線通信システムにおいてハンドオーバ完了機能を実行することを容易にするために、前記測定報告メッセージ内に含まれた補足情報を処理するための手段、をさらに備える請求項１５に記載のｅノードＢ。
【請求項１７】
前記測定報告メッセージに関連する無線端末に関するハンドオーバ決定を決定するための手段、をさらに備える請求項１５に記載のｅノードＢ。
【請求項１８】
前記ターゲットノードによって、ハンドオーバコマンドを前記無線端末に送信するための手段、をさらに備え、前記ハンドオーバコマンドは、前記無線通信システムにおいて前記ハンドオーバ完了機能を実行することを容易にするための追加情報を含む、請求項１７に記載のｅノードＢ。
【請求項１９】
ｅノードＢ間メッセージ内へのソースノードカプセル化のために、ソースノードへの測定報告メッセージを、ターゲットノードに転送するソースノードに送信するための手段と、
前記ターゲットノードから前記ソースノードを介して転送された、ソースノードカプセル化されたハンドオーバコマンドを受信するための手段と、
を備える移動体デバイス。
【請求項２０】
ハンドオーバ完了表示を生成することを容易にするために、前記カプセル化されたハンドオーバコマンド内に含まれた補足情報を処理するための手段、をさらに備える請求項１９に記載の移動体デバイス。
【請求項２１】
前記ハンドオーバ完了表示を生成することを容易にするために、追加情報を前記測定報告メッセージに添付するための手段、をさらに備える請求項１９に記載の移動体デバイス。
【請求項２２】
移動体デバイスによって作成された測定報告メッセージを、ソースノードを通じてターゲットノードにより受信するための第１の命令セットと、
前記測定報告メッセージを、前記ターゲットノードによって、処理して、ハンドオーバコマンドメッセージを作成するための第２の命令セットと、
を備えるコンピュータ実行可能命令、を格納し、ｅノードＢで使用されるコンピュータ可読記憶媒体。
【請求項２３】
ハンドオーバ完了インジケータを生成することを容易にするために、前記測定報告メッセージ内に含まれた補足情報を処理するための第３の命令セット、をさらに備える請求項２２に記載のコンピュータ可読記憶媒体。
【請求項２４】
前記測定報告メッセージに関連する移動体デバイスに関するハンドオーバ決定を、前記ターゲットノードによって、決定するための第４の命令セット、をさらに備える請求項２２に記載のコンピュータ可読記憶媒体。
【請求項２５】
前記ターゲットノードによって、ハンドオーバコマンドを前記移動体デバイスに送信するための第５の命令セット、をさらに備え、前記ハンドオーバコマンドは、前記ハンドオーバ完了インジケータを生成することを容易にするために、追加情報を含む、請求項２４に記載のコンピュータ可読記憶媒体。
【請求項２６】
無線通信システムにおいて動作可能なｅノードＢであって、
移動体デバイスによって作成された測定報告メッセージを、ソースノードを通じてターゲットノードによって受信し、
前記測定報告メッセージを、前記ターゲットノードによって、処理して、ハンドオーバコマンドメッセージを作成する、
ように構成されたプロセッサと、
前記プロセッサに結合されたメモリと、
を備えるｅノードＢ。
【請求項２７】
前記プロセッサは、ハンドオーバ完了表示を生成することを容易にするために、前記測定報告メッセージ内に含まれた追加情報を抽出するようにさらに構成されている、請求項２６に記載のｅノードＢ。
【請求項２８】
前記プロセッサは、前記測定報告メッセージに関連する移動体デバイスに関するハンドオーバ決定を、前記ターゲットノードによって、決定するようにさらに構成されている、請求項２６に記載のｅノードＢ。
【請求項２９】
前記プロセッサは、前記ターゲットノードによって、ハンドオーバコマンドを前記移動体デバイスに送信するようにさらに構成され、前記ハンドオーバコマンドは、前記ハンドオーバ完了インジケータ表示を生成することを容易にするために補足情報を含む、請求項２８に記載のｅノードＢ。
【請求項３０】
無線通信システムにおいて動作可能な移動体デバイスであって、
ｅノードＢ間メッセージ内へのソースノードカプセル化のために測定報告メッセージを、ターゲットノードに転送するソースノードに送信し、そして
前記ターゲットノードから前記ソースノードを介して転送された、ソースノードカプセル化されたハンドオーバコマンドメッセージを受信する、
ように構成されたプロセッサと；
前記プロセッサに結合されたメモリと；
を備える移動体デバイス。
【請求項３１】
前記プロセッサは、前記無線通信システムにおいてハンドオーバ完了インジケータを生成することを容易にするために、前記カプセル化されたハンドオーバコマンドメッセージ内に含まれた補足情報を処理するようにさらに構成されている、請求項３０に記載の移動体デバイス。
【請求項３２】
前記プロセッサは、前記無線通信システムにおいて前記ハンドオーバ完了インジケータを生成することを容易にするために、前記測定報告メッセージに追加情報を添付するようにさらに構成されている、請求項３０に記載の移動体デバイス。
【発明の詳細な説明】
【優先権の主張】
【０００１】
本願は、全体が参照によりここに組み込まれる、２００６年１０月３１日に出願された「ＥＮＢ間のハンドオーバ手順(INTER-ENB HANDOVER PROCEDURE)」と題された米国仮特許出願第６０／８６３，７９１号に関する米国特許法第１１９条のもとでの優先権の利益を主張する。
【技術分野】
【０００２】
以下の説明は、一般に無線通信に関し、より具体的には、ｅノードＢ（ｅＮＢ）間ハンドオーバのための機構(mechanisms for inter-eNode B (eNB) handover)に関する。
【背景技術】
【０００３】
無線通信システムは、様々なタイプの通信を提供するために広く配備されており、例えば、そのような無線通信システムを介して音声および／またはデータを提供することができる。典型的な無線通信システム、または無線通信ネットワークは、１つまたは複数の共有リソースに対して複数のユーザアクセスを提供することが可能である。例えば、これらのシステムは、利用可能なシステムリソース（例えば、帯域幅および送信電力）を共有することによって複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）長期的エボリューション(Long Term Evolution)（ＬＴＥ）システム、および直交周波数分割多元接続（ＯＦＤＭＡ）システムを含む。
【０００４】
通常、無線多元接続通信システムは、複数の無線端末向けの通信を同時にサポートすることが可能である。それぞれの端末は、順方向リンク上および逆方向リンク上の伝送を介して１つまたは複数の基地局と通信する。順方向リンク（すなわち、ダウンリンク（ＤＬ））は基地局から端末への通信リンクを指し、逆方向リンク（すなわち、アップリンク（ＵＬ））は端末から基地局への通信リンクを指す。そのような通信リンクは、単一入出力システム、多入力・単一出力システム、または多入出力（ＭＩＭＯ）システムを介して確立することができる。
【０００５】
ＭＩＭＯシステムは、データ伝送のために複数の（ＮＴ本の）送信アンテナと複数の（ＮＲ本の）受信アンテナとを用いる。ＮＴ本の送信アンテナおよびＮＲ本の受信アンテナによって形成されたＭＩＭＯチャネルは、空間チャネルとも呼ばれる、ＮＳ個の独立チャネルに分解することが可能であり、その場合、ＮＳ≦ｍｉｎ｛Ｎｔ，ＮＲ｝である。ＮＳ個の独立チャネルのそれぞれは次元に対応する。複数の送信アンテナおよび受信アンテナによって作り出された追加の次元が利用される場合、ＭＩＭＯシステムは改善された性能（例えば、より高いスループットおよび／またはより大きな信頼性）を提供し得る。ＭＩＭＯシステムは、時分割複信（ＴＤＤ）システムおよび周波数分割複信（ＦＤＤ）システムをサポートすることが可能である。ＴＤＤシステムにおいては、相反定理(reciprocity principle)が逆方向リンクチャネルから順方向リンクチャネルを推定することを可能とするように、順方向および逆方向のリンク伝送が同じ周波数領域上にある。これは、複数のアンテナがアクセスポイントで利用可能なときに、アクセスポイントが順方向リンク上で送信ビーム形成利得を抽出することを可能にする。
【０００６】
セルラー無線システムでは、サービス範囲は、一般にセルと呼ばれるいくつかの受信可能範囲ゾーンに分割される。それぞれのセルはいくつかの基地局によってサービス提供されるいくつかのセクタにさらに再分割することができる。それぞれのセクタは通常、識別可能な地理的範囲として示され、一方、セクタは通常、無線端末またはユーザ機器（ＵＥ）がセルから隣接セルに移動するときに継ぎ目のない通信を提供するために重複する信号受信可能範囲を提供する。例えば、移動体ユーザがセル間を通過する場合、ユーザに継ぎ目のない移動体インターネット経験を提供するために基地局間に効率的な通信ハンドオーバまたは通信ハンドオフが存在しなければならない。セル間で移動体ユーザをハンドオフするための効率的な機構がない場合、ユーザは、サービス割込みおよびサービス遅延、伝送損失、または呼の中断を経験することになる。
【０００７】
ハンドオフ、すなわちハンドオーバ（ＨＯ）は、ネットワークとの無線接続を維持するために、ＵＥ（例えば、無線電話）が１つのセルから次のセルに引き渡されるプロセスである。ハンドオーバを命令する変数はセルラーシステムのタイプに依存する。例えば、ＣＤＭＡシステムでは、干渉要件はハンドオーバに関する限定要因である。ＦＤＭＡシステム、および汎欧州デジタル移動電話方式（ＧＳＭ（登録商標））などのＴＤＭＡシステムでは、主な限定要因はＵＥが利用可能な信号品質である。
【０００８】
ハンドオーバすなわちハンドオフの１つの形式は、進行中のＵＥ呼がその現在のセル（例えば、ソースセル）およびチャネルから新しいセル（例えば、ターゲットセル）およびチャネルに宛先変更される場合である。地上ネットワークでは、２つの異なるセルサイトからまたは同じセルサイトの２つの異なるセクタからソースセルおよびターゲットセルにサービス提供することができる。前者はセル間ハンドオーバと呼ばれ、後者は１つのセクタ内のハンドオーバまたは同じセルの異なるセクタ間のハンドオーバ（例えば、セル内ハンドオーバ）と呼ばれる。通常、セル間ハンドオーバの目的は、加入者がソースセルによってカバーされる範囲から出て、ターゲットセルの範囲に入るときに呼を維持することである。
【０００９】
一例として、呼の間に、ソースセル内のチャネルにおける信号の１つまたは複数のパラメータは、ハンドオフがいつ必要になり得るかを決める(decide)ために監視され、評価される（例、ＤＬおよび／またはＵＬが監視されることができる）。通常、ハンドオフはＵＥによってまたはそのソースセルの基地局によって要求されることが可能であり、一部のシステムでは、隣り合うセルの基地局によって要求され得る。電話および隣り合うセルの基地局は、互いの信号を監視して、隣り合うセルの中から最善の目標候補が選択される。
【００１０】
例えば、ユニバーサル移動体通信システム（ＵＭＴＳ）地上波無線アクセスネットワーク（ＵＴＲＡＮ）は、基地局（例えば、ノードＢ）と、無線ネットワークコントローラ（ＲＮＣ）とを含む。ＲＮＣは１つまたは複数のノードＢに関する制御機能性を提供して、無線リソース管理（ＲＲＭ）、移動度管理機能の一部(some of the mobility management functions)を実行し、ユーザデータが移動体に送られる前および移動体から送られる前に暗号化が行われる地点である。ノードＢおよびＲＮＣは同じデバイスであってよいが、典型的な実装形態は複数のノードＢにサービス提供している電話局内に配置された個別のＲＮＣを有する。ＲＮＣおよびその対応するノードＢは、無線ネットワークサブシステム（ＲＮＳ）と呼ばれる。ＵＴＲＡＮには２つ以上のＲＮＳが存在する場合がある。ＵＥはＵＭＴＳネットワークのサービスにアクセスするために、ＵＥ上のＲＲＣエンティティとＵＴＲＡＮの間の二地点間の二方向接続である無線リソース制御（ＲＲＣ）接続を要求する（例えば、ＲＲＣはＵＴＲＡＮ内で終了する）。ＲＮＣがハンドオーバ決定(handover decisions)の責任を有し、ＵＥに対してハンドオーバシグナリング(handover signaling)を要求し、ネットワークコンポーネントの間で３方向ハンドシェーク（測定報告、ハンドオーバコマンド（ＨＯコマンド）、およびＨＯ完了）を介した複雑な調整を要求している場合、通常、ＵＭＴＳハンドオーバ機構（例えば、測定、決定、および実行）は中央制御される。
【００１１】
そのような機構に関連する１つの問題は、異なるベンダーからのＵＴＲＡＮ機器を配備することに伴う相互運用性(interoperability)の課題が、複数のベンダーのネットワーク (multi-vendor networks)を配備する移動体オペレータの試みを一般的に妨げてきたことである。加えて、異なるＲＲＣプロトコルバージョンに伴う相互運用性の課題は、移動体オペレータがプロトコルアップグレード(protocol upgrades)を実施する機会を制限する。
【００１２】
進化型ユニバーサル地上波無線アクセスネットワーク(Evolved Universal Terrestrial Radio Access Network)（Ｅ−ＵＴＲＡＮ）では、ＲＲＭは進化型ノードＢ（ｅノードＢ）レベルでＲＲＭ機能を実施することによって、ＵＴＲＡＮのＲＲＭよりもより分散される。結果として、プロトコルの不一致により、ソースｅノードＢからのサポートの欠如のために新しい無線構成(radio configurations)がターゲットｅノードＢにおいて使用されない可能性が高まる。ＬＴＥ向けのハンドオーバシグナリングに関する現在の作業仮説(current working assumption)は、上記識別された問題が予想される、ＵＭＴＳと同じ３方向ハンドシェーク（例えば、測定報告、ＨＯコマンドおよびＨＯ完了）を有することである。これらの問題を解決することに加えて、物理層アップグレードを含めて、移動体オペレータが頻繁なプロトコルアップグレードから利益を得ることを可能にして、移動体オペレータが複数のベンダーのネットワークを積極的に用いることを可能にし、ソースｅノードＢからのプロトコルサポートの欠如にもかかわらず、ターゲットｅノードＢにおける新しい無線構成の使用を可能にするために、ｅノードＢ（ｅＮＢ）間ハンドオーバ手順に関してさらなる改善が所望される。
【発明の概要】
【００１３】
以下は、１つまたは複数の実施形態の基本的な理解を与えるために、そのような実施形態の簡略化された概要(summary)を示す。この概要は、すべての企図される実施形態の広範囲にわたる概略ではなく、また、すべての実施形態の主要なあるいは重要なエレメントを識別するようにも、いずれのあるいは全ての実施形態の範囲を描写するようにも意図されていない。その唯一の目的は、後に示されるより詳細な説明の前置きとして、１つまたは複数の実施形態のいくつかの概念を簡素化された形で提供することである。
【００１４】
１つまたは複数の実施形態およびその対応する開示にしたがい、ｅノードＢ間ハンドオーバを容易にすることに関連して様々な態様が説明される。上記に説明されたように、Ｅ−ＵＴＲＡＮは、ｅノードＢレベル(eNode B level)で、複数の無線リソース管理機能を実施する(implements)。ハンドオーバシグナリング(handover signaling)に関する現在の作業仮説(current working assumption)は、上記で識別された困難性を伴って、ＵＭＴＳにおけるのと同じ３方向ハンドシェーク(3-way handshake)を使用することである、この場合、ＵＭＴＳハンドオーバ機構（例、測定、決定、および実行）は中央制御される。しかしながら、移動体オペレータ(mobile operators)が（物理層アップグレードを含む）頻繁なプロトコルアップグレードから利益を得ることを可能にし、移動体オペレータが複数のベンダーのネットワークを積極的に用いることを可能にし、そして、ソースｅノードＢからのプロトコルサポートの欠如にもかかわらず、ターゲットｅノードＢにおいて新しい無線構成の使用を可能にするために、プロトコルの最適化が実施されることができるような、重要なアーキテクチャ上の差異、が存在する。
【００１５】
様々な非限定的な実施形態にしたがい、本発明は、ノード間ハンドオーバ手順(inter-node handover procedure)のためのアーキテクチャ上およびプロトコルの変更(architectural and protocol changes)を提供する。本発明の様々な態様によれば、論理プロトコル終了(logical protocol termination)が、ｅＮＢ間ＨＯシグナリング(inter-eNB HO signaling)に関してＵＥとターゲットｅＮＢとの間で実施されることができる。有利なことに (advantageously)、ＵＥとターゲットｅＮＢとの間のプロトコル終了は、ＬＴＥ向けのＵＭＴＳ  ＨＯ完了メッセージの除去を可能にし、それは、比較的より簡単なプロトコル実施を可能にする。本発明のさらなる態様によれば、測定報告メッセージ(Measurement Report message)およびＨＯコマンドメッセージ(HO Command message)は、ソースノードによってそれぞれターゲットノードおよびＵＥに転送されることができる。
【００１６】
さらなる非限定的実施形態によれば、ＨＯコマンドメッセージは、ソースｅＮＢによって、適切なＲＲＣメッセージ（例えば、ＲＲＣ直接転送）内にカプセル化される(encapsulated)ことができる。有利なことに、ソースｅＮＢは、ＨＯコマンドメッセージ内のすべてのコンテンツを理解する能力を必要とする(does require)。したがって、様々な実施形態によれば、ソースｅＮＢは、ＨＯコマンドメッセージとしてＨＯコマンドメッセージを識別する能力だけを最低限必要とすることができる。さらなる実施形態においては、ソースｅＮＢは、ＨＯコマンドメッセージ宛先を識別する能力を含むことができる。有利なことに、本発明の転送機構は、複数のベンダーのネットワークにおいて挑戦しつつあるかもしれない、ＵＭＴＳのソースＢＳとターゲットＢＳとの間の比較的より複雑な調整機構、を必要としない。理解されるように、提供されるハンドオーバ転送およびカプセル化の機構は、異なるベンダーからの、あるいは異なるプロトコルバージョンを実施しているｅノードＢ間の改善された相互運用性(inter-operability)を可能にし、それは、同様に、頻繁なプロトコルアップグレードを可能にする。さらに、本発明は、新しい無線構成がソースｅノードＢによってサポートされない場合でも、ターゲットｅノードＢが新しい無線構成を実施することを可能にする。
【００１７】
上述および関連する目的のために、ｅノードＢ間ハンドオーバを容易にする様々な方法がここに説明される。一方法は、ソースノードによって、ターゲットノードによって作成されたハンドオーバコマンドメッセージ(handover command message)を受信することと(receiving)と、ハンドオーバコマンドメッセージを無線リソース制御メッセージ内にカプセル化すること(encapsulating)と、を備え得る。さらに、方法は、ハンドオーバコマンドメッセージに関連するＵＥとソースノードとの間の既存のセキュリティアソシエーション(pre-existing security association)に基づいて、カプセル化されたハンドオーバコマンドメッセージ(encapsulated handover command message)を暗号化すること(enciphering)、を含むことができる。有利なことに、この方法は、ＵＥとターゲットノードとの間に新しいセキュリティアソシエーションを必要としない。例えば、既存のセキュリティアソシエーションは、既存の無線インターフェース層、副層(sublayers)、プロトコル、および／または同様の類、あるいは、それらの任意の組合せ（例えば、無線リンク制御(Radio Link Control)（ＲＣＬ）、パケットデータ収束プロトコル(Packet Data Convergence Protocol)（ＰＤＣＰ）等）のうちのいずれか１つまたは複数によって提供されることができる。方法は、カプセル化されたハンドオーバコマンドメッセージを無線端末に送信すること、をさらに含むことができる。さらに、方法は、ソースノード（例、ソースノードの無線リソース制御（ＲＲＣ））によって、カプセル化されたハンドオーバコマンドメッセージに関して、インテグリティ保護(integrity protection)を適用すること、を含むことができる。
【００１８】
本発明の関連する実施形態においては、方法は、ターゲット基地局によって、測定報告情報を受信すること、および処理すること、を備えることができる。さらに、方法は、測定報告情報に関連する移動体デバイスに関するハンドオーバ決定を、ターゲット基地局によって、決定すること(determining)と、ハンドオーバコマンドを移動体デバイスに送信すること(transmitting)と、を含むことができ、ここでは、ハンドオーバコマンドは、無線通信システムにおいてハンドオーバ完了インジケータ(indicator)の生成することを容易にするために補足情報(supplemental information)を含む。
【００１９】
さらに別の実施形態においては、無線通信システムにおけるノード間転送のための方法が提供され、この方法は、ノード間メッセージ（例、ｅノードＢ間メッセージ）内へのソースノードカプセル化(source node encapsulation)のために、ソースノードに測定報告メッセージを、移動体デバイスによって、送信すること(transmitting)と、ターゲットノードに転送すること(forwarding)と、ターゲットノードから転送されたソースノードカプセル化されたハンドオーバコマンドメッセージ(source node encapsulated handover command message)を、該移動体デバイスによって、受信すること(receiving)と、を備える。
【００２０】
本発明のさらなる実施形態は、通信装置(communication apparatus)に関する。通信装置は、ターゲットノードからのＨＯコマンドを受信し、カプセル化するための命令、を保存するメモリ、を含むことができる。加えて、メモリは、ハンドオーバコマンドを暗号化し、ＵＥに送信するための命令、をさらに保存する。さらに、通信装置は、メモリ内に保存された命令を実行するように構成された、メモリに結合されたプロセッサ、を含むことができる。
【００２１】
関連する実施形態においては、通信装置は、測定報告メッセージを、ターゲットノードによって、受信および処理するための命令、を保存するメモリ、を含むことができる。メモリは、測定報告メッセージに関連する無線端末に関するハンドオーバ決定を、ターゲットノードによって、決定するための命令(instructions for determining)、をさらに保存できる。さらに、通信装置は、メモリ内に保存された命令を実行するように構成された、メモリに結合されたプロセッサを含むことができる。
【００２２】
さらに他の実施形態は、ここに説明される本発明の様々な実施形態を実行するための機械実行可能命令を記憶した機械可読媒体に関する。本発明の他の実施形態では、無線通信システム内の装置は、プロセッサを含んでよく、プロセッサは、ここに説明される本発明の様々な実施形態を実行するように構成されることができる。
【００２３】
上述および関連する目的の達成のために、１つまたは複数の実施形態は、このあと十分に説明され、そして特許請求の範囲において得に指摘される特徴を備える。以下の説明および添付の図面は、１つまたは複数の実施形態のある例示的な態様を詳細に記載する。しかしながら、これらの態様は、様々な実施形態の原理が使用されることができる様々な方法のうちのほんのいくつかを示しており、説明される実施形態は、すべてのそのような態様およびその均等物(equivalents)を含むように意図されている。
【図面の簡単な説明】
【００２４】
【図１】図１は、ここに記載された様々な態様にしたがう多元接続無線通信システム (multiple access wireless communication system)を示す。
【図２】図２は、本発明のさらなる態様にしたがう無線通信システムを示す。
【図３Ａ】図３Ａは、ＨＯコマンドメッセージ転送が示される、ｅノードＢ内ハンドオーバを容易にするシステムの、非限定的ハイレベルブロック図(non-limiting high-level block diagram)を示す。
【図３Ｂ】図３Ｂは、ＨＯコマンドメッセージ転送が示され、本発明の様々な態様が適用可能な、ｅノードＢ間ハンドオーバを容易にするシステムの、例示的な非限定的ハイレベルブロック図を示す。
【図４Ａ】図４Ａは、本発明の様々な態様によるｅノードＢ間ハンドオーバを容易にするシステムの例示的な非限定的ハイレベルブロック図を示す。
【図４Ｂ】図４Ｂは、本発明の様々な態様によるｅノードＢ間ハンドオーバに関する例示的かつ非限定的なＨＯコマンドメッセージ構造を示す。
【図４Ｃ】図４Ｃは、本発明の様々な態様によるｅＮＢ間ハンドオーバに関する例示的かつ非限定的なシグナリング流れ(flow)を示す。
【図５】図５は、本発明の様々な態様による多元接続無線通信環境内で使用するための通信装置を示す。
【図６】図６は、ここに説明される様々な実施形態にしたがうｅノードＢ間ハンドオーバに関する例示的な非限定的ハイレベル方法(non-limiting high-level Methodologies)を示す。
【図７】図７は、ここに説明される様々な実施形態にしたがうｅノードＢ間ハンドオーバに関するさらなる例示的なハイレベル方法を示す。
【図８】図８は、複数のセルを含む様々な態様にしたがって実施される例示的な通信システムを示す。
【図９】図９は、様々な実施形態にしたがう、ｅノードＢ間ハンドオーバ機構に関して利用することが可能なシステムを示す。
【図１０】図１０は、本発明の様々な態様にしたがう、基地局の例示的な非限定的ブロック図を示す。
【図１１】図１１は、様々な実施形態にしたがう、ｅノードＢ間ハンドオーバ機構に関して利用することが可能なシステムを示す。
【図１２】図１２は、様々な実施形態にしたがい実施される例示的な無線端末（例えば、無線端末、移動体デバイス、終端ノード、・・・）を示す。
【図１３】図１３は、本発明の様々な態様にしたがう、ｅノードＢ間ハンドオーバ機構を組み込む通信システムの例示的な非限定的なブロック図を示す。
【図１４】図１４は、本発明の様々な実施形態による、ｅノードＢ間ハンドオーバを可能にする例示的な非限定的装置を示す。
【図１５】図１５は、本発明の様々な実施形態による、ｅノードＢ間ハンドオーバを容易にする例示的な非限定的装置を示す。
【発明を実施するための形態】
【００２５】
次に、その全体を通して同じエレメントを指すために同じ符号が使用される図面を参照して様々な実施形態が説明される。以下の説明において、説明の目的で、１つまたは複数の実施形態の十分な理解をもたらすために多数の特定の詳細が記載される。しかし、そのような実施形態はこれらの特定の詳細なしに実施することが可能であることは明らかであろう。その他の場合、１つまたは複数の実施形態の説明を容易にするために、よく知られている構造およびデバイスがブロック図の形で示される。
【００２６】
加えて、本発明の様々な態様が下記において説明される。ここでの教示は様々な形で実施することが可能であり、ここに開示される任意の特定の構造および／または機能は代表に過ぎないことは明らかであろう。ここでの教示に基づいて、当業者はここに開示される態様は任意のその他の態様と関係なく実施することが可能であり、２つ以上のこれらの態様を様々な様式で組み合わせることも可能である点を理解すべきである。例えば、ここに記載される任意の数の態様を使用して、装置を実施することが可能でありかつ／または方法を実施することが可能である。加えて、ここに記載される１つまたは複数の態様に加えて、もしくは当該態様以外のその他の構造および／または機能性を使用して、装置を実施することが可能でありかつ／あるいは方法を実施することが可能である。例として、ここに説明される方法、デバイス、システムおよび装置の多くは、Ｅ−ＵＴＲＡＮ通信システムにおけるｅノードＢ間ハンドオーバという状況に関して説明される。当業者は、その他の通信環境に類似の技術を適用することが可能である点を理解すべきである。
【００２７】
この出願で使用されるように、「コンポーネント」、「モジュール」、「システム」などの用語は、コンピュータに関係するエンティティ、すなわち、ハードウェア、ファームウェア、ハードウェアとソフトウェアの組合せ、ソフトウェア、実行中のソフトウェア、ファームウェア、ミドルウェア、マイクロコード、および／またはそれらの任意の組合せを指すように意図されている。例えば、コンポーネントは、プロセッサ上で実行しているプロセス、プロセッサ、オブジェクト、エクセキュータブル、一連の実行、プログラム、および／またはコンピュータであり得るが、これらであると限定されない。限定ではなく、例示として、コンピューティングデバイス上で実行しているアプリケーションとコンピューティングデバイスは両方ともコンポーネントであり得る。１つまたは複数のコンポーネントは、プロセスおよび／または一連の実行の中に存在することが可能であり、コンポーネントは１つのコンピュータ上に位置することが可能でありかつ／または２つ以上のコンピュータの間で分散することも可能である。加えて、これらのコンポーネントは、様々なデータ構造が記憶された様々なコンピュータ可読媒体から実行することが可能である。コンポーネントは、１つまたは複数のデータパケット（例えば、ローカルシステム内、分散システム内の別のコンポーネントと、かつ／またはインターネットなどのネットワークの全域で信号によってその他のシステムと相互作用している１つのコンポーネントからのデータ）を有する信号によってなど、局所プロセスおよび／または遠隔プロセスによって通信することができる。加えて、当業者によって理解されるように、ここに説明されるシステムのコンポーネントは、そのシステムのコンポーネントに関して説明される様々な態様、目標、利点などの達成を容易にするために追加のコンポーネントによって再構成および／または補完することが可能であり、提示された図に記載されるまさにその構成に限定されない。
【００２８】
さらに、無線端末すなわちユーザ機器(user equipment)（ＵＥ）に関して様々な実施形態がここに説明される。無線端末すなわちＵＥは、システム、加入者装置(subscriber unit)、加入者局(subscriber station)、移動局、移動体、移動体デバイス、遠隔局、遠隔端末、アクセス端末、ユーザ端末、端末、無線通信デバイス、ユーザエージェント、またはユーザデバイスと呼ばれる場合もある。無線端末すなわちＵＥは、セルラー電話、コードレス電話、セッション開始プロトコル（ＳＩＰ）電話、無線ローカルループ（ＷＬＬ）局、携帯情報端末（ＰＤＡ）、無線接続能力を有するハンドヘルドデバイス、コンピューティングデバイス、または無線モデルに接続されたその他の処理デバイスであり得る。さらに、基地局に関して様々な実施形態がここに説明される。基地局は（１つまたは複数の）無線端末と通信するために利用することが可能であり、アクセスポイント、ノードＢ、ｅノードＢ、ソースノードもしくはターゲットノード、またはいくつかのその他の専門用語で呼ばれる場合もある。
【００２９】
さらに、ここに説明される様々な態様もしくは特徴は、標準のプログラミング技術および／またはエンジニアリング技術を使用して、方法、装置、あるいは製品として実施することが可能である。ここで使用される用語「製品」は、任意のコンピュータ可読デバイス、キャリア、または媒体からアクセス可能なコンピュータプログラムを包括することが意図される。例えば、コンピュータ可読媒体は、磁気記憶デバイス（例えば、ハードディスク、フロッピー（登録商標）ディスク、磁気ストリップなど）、光ディスク（例えば、コンパクトディスク（ＣＤ）、デジタル多目的ディスク（ＤＶＤ）、など）、スマートカード、およびフラッシュメモリデバイス（例えば、ＥＰＲＯＭ、カード、スティック、キードライブなど）を含み得るが、これらに限定されない。加えて、ここに説明される様々な記憶媒体は、情報を記憶するための１つまたは複数のデバイスおよび／またはその他の機械可読媒体を表す場合がある。加えて、音声メールを送受信する際に、セルラーネットワークなどのネットワークにアクセスする際に、または特定された機能を実行するようにデバイスに命令する際に使用されるようなコンピュータ可読電子データまたはコンピュータ可読電子命令を運ぶために搬送波を使用することが可能である点を理解すべきである。当然、当業者は、ここにおいて説明および特許請求される本発明の範囲または精神から逸脱せずに、開示される実施形態に対して多くの修正を行うことが可能である点を認識されよう。
【００３０】
さらに、ここでの用語「例示的」は、例、事例、例示として機能することを意味するために使用される。ここにおいて「例示的」として説明される任意の態様または構成は、その他の態様もしくは構成に勝って好ましいまたは有利であると解釈されるとは限らない。むしろ、その例示的という用語の使用は、概念を具体的な形で提示することが意図される。本出願で使用される場合、用語「または」は、排他的な「または」ではなく、包括的な「または」を意味することが意図される。すなわち、その他の指定がない限り、または文脈から明らかでない限り、「ＸはＡまたはＢを用いる」は、自然な包括的な置換のいずれかを意味することが意図される。すなわち、ＸがＡを用いる場合、ＸがＢを用いる場合、またはＸがＡとＢの両方を用いる場合、「ＸはＡまたはＢを用いる」は前述の事例のいずれかの下で満たされる。加えてこの出願および特許請求の範囲において使用される際、冠詞「１つの(a)」および「１つの(an)」は、通常、その他の指定がない限り、または文脈から単数形を対象にすることが明らかでない限り、「１つまたは複数の」を意味すると解釈されるべきである。
【００３１】
ここに説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々な無線通信ネットワークに関して使用することが可能である。用語「ネットワーク」および「システム」は、多くの場合、交換可能に使用される。ＣＤＭＡネットワークは、ＵＭＴＳ地上波無線アクセス（ＵＴＲＡ）、ｃｄｍａ２０００などの無線技術を実施することが可能である。ＵＴＲＡは、広帯域ＣＤＭＡ（Ｗ−ＣＤＭＡ）および低チップレート（Low Chip Rate）（ＬＣＲ）を含む。ｃｄｍａ２０００は、ＩＳ−２０００標準、ＩＳ−９５標準およびＩＳ−８５６標準をカバーする。ＴＤＭＡネットワークは、汎欧州デジタル移動電話方式（ＧＳＭ）などの無線技術を実施することが可能である。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）などの無線技術を実施することが可能である。ＵＴＲＡ、Ｅ−ＵＴＲＡおよびＧＳＭは、ユニバーサル移動体通信システム（ＵＭＴＳ）の一部である。長期的エボリューション（ＬＴＥ）は、Ｅ−ＵＴＲＡを使用するＵＭＴＳの次回のリリースである。ＵＴＲＡ、Ｅ−ＵＴＲＡ、ＧＳＭ、ＵＭＴＳおよびＬＴＥは「第３世代パートナーシッププロジェクト」（３ＧＰＰ）と名づけられた組織からの文書で説明される。ｃｄｍａ２０００は「第３世代パートナーシッププロジェクト２」（３ＧＰＰ２）と名づけられた組織からの文書で説明される。これらの様々な無線技術および無線標準は当技術分野で知られている。分かりやすくするために、上記技術のいくつかの態様はＬＴＥおよびＥ−ＵＴＲＡＮに適用されるため、ｅノードＢ（ｅＮＢ）間ハンドオーバ手順という状況に関して下記に説明される場合があり、その結果、適切な場合、３ＧＰＰ専門用語が下記説明の多くで使用される。
【００３２】
次に、図１を参照すると、一実施形態による多元接続無線通信システムが例示される。アクセスポイント１００（ＡＰ）は、一方が１０４および１０６を含み、他方が１０８および１１０を含み、追加のグループが１１２および１１４を含む、複数のアンテナグループを含む。図１では、それぞれのアンテナグループに関して２本のアンテナだけが示されるが、それぞれのアンテナグループに関して、より多くのアンテナまたはより少ないアンテナを使用することが可能である。アクセス端末１１６（ＡＴ）はアンテナ１１２および１１４と通信中であり、アンテナ１１２および１１４は順方向リンク１２０上で情報をアクセス端末１１６に送信し、逆方向リンク１１８上で情報をアクセス端末１１６から受信する。アクセス端末１２２はアンテナ１０６および１０８と通信中であり、アンテナ１０６および１０８は順方向リンク１２６上で情報をアクセス端末１２２に送信し、逆方向リンク１２４上で情報をアクセス端末１２２から受信する。ＦＤＤシステムでは、通信リンク１１８、１２０、１２４および１２６は、通信のために異なる周波数を使用することができる。例えば、順方向リンク１２０は逆方向リンク１１８によって使用される周波数とは異なる周波数を使用することができる。
【００３３】
アンテナが通信するように設計された、アンテナのそれぞれのグループおよび／または範囲は、多くの場合、アクセスポイントのセクタと呼ばれる。この実施形態では、アンテナグループはそれぞれ、アクセスポイント１００によってカバーされる範囲のセクタ内でアクセス端末と通信するように設計される。
【００３４】
順方向リンク１２０および１２６上の通信において、アクセスポイント１００の送信アンテナは、異なるアクセス端末１１６および１２４に関する順方向リンクの信号対雑音比を改善するためにビーム形成を利用する。また、その受信可能範囲の全体にわたってランダムに分散されたアクセス端末に送信するためにビーム形成を使用しているアクセスポイントは、すべてのそのアクセス端末に対して単一のアンテナを介して送信しているアクセスポイントに対してよりも、隣り合うセル内のアクセス端末に対してより少ない干渉を引き起こす。
【００３５】
図２は、本発明の１つまたは複数の態様に関して利用することが可能な、複数の基地局２１０および複数の端末２２０を有する無線通信システム２００を例示する。基地局は、通常、端末と通信する固定局であり、アクセスポイント、ノードＢ、ｅノードＢ、またはいくつかのその他の専門用語で呼ばれる場合もある。それぞれの基地局２１０は、３つの地理的範囲として例示され、２０２ａ、２０２ｂおよび２０２ｃとラベル付けされた特定の地理的範囲に通信受信可能範囲を提供する。用語「セル」は、その用語が使用される文脈に応じて、基地局および／またはその受信可能範囲を指す場合がある。システム容量を改善するために、基地局受信可能範囲は複数のより小さな範囲（例えば、図２のセル２０２ａによれば、３つのより小さな範囲）、２０４ａ、２０４ｂおよび２０４ｃに区分化することができる。それぞれのより小さな範囲は、それぞれの基地トランシーバサブシステム（ＢＴＳ）によってサービス提供され得る。用語「セクタ」は、その用語が使用される文脈に応じて、ＢＴＳおよび／またはその受信可能範囲領域を指す場合がある。セクタ化された(sectorized)セルの場合、そのセルのすべてのセクタ向けのＢＴＳは、通常、そのセルの基地局内の同じ場所に位置する。ここに説明される伝送技術は、セクタ化されたセルを有するシステムならびにセクタ化されないセルを有するシステムに関して使用することが可能である。説明を簡単にするために、以下の説明では、用語「基地局」は、セクタにサービス提供する固定局ならびにセルにサービス提供する固定局に関して一般的に使用される。
【００３６】
端末２２０は、通常、システムの全体にわたって分散され、それぞれの端末は固定であってよく、また移動体であってもよい。端末は、アクセス端末、ユーザ機器（ＵＥ）、無線通信デバイス、移動局、ユーザデバイス、またはいくつかのその他の専門用語で呼ばれる場合もある。端末は、無線デバイス、セルラー電話、携帯情報端末（ＰＤＡ）、無線モデムカードなどであり得る。それぞれの端末２２０は、任意の所与の時点で、ダウンリンク上およびアップリンク上でゼロ、１つ、または複数の基地局と通信することができる。ダウンリンク（すなわち、順方向リンク）は基地局から端末への通信リンクを指し、アップリンク（すなわち、逆方向リンク）は端末から基地局への通信リンクを指す。
【００３７】
集中型アーキテクチャの場合、システムコントローラ２３０は基地局２１０に結合して、基地局２１０に対して調整および制御を提供する。分散されたアーキテクチャの場合、基地局２１０は必要に応じて互いに通信することができる。順方向リンク上のデータ伝送は、順方向リンクおよび／または通信システムによってサポートされ得る最高データ転送速度でまたは最高データ転送速度に近接した速度で１つのアクセスポイントから１つのアクセス端末に向けて発生する。順方向リンクの追加のチャネル（例えば、制御チャネル）は、複数のアクセスポイントから１つのアクセス端末に送信することが可能である。逆方向リンクデータ通信は、図１に関して上記に説明されたように、端末２２０においてまたは基地局２１０において１本または複数のアンテナを介して１つのアクセス端末から１つまたは複数のアクセスポイントに対して発生し得る。
【００３８】
上記に説明されたように、Ｅ−ＵＴＲＡＮは、ｅノードＢレベルでいくつかの無線リソース管理機能を実施する。ハンドオーバシグナリングに関する現在の作業仮説は、ＵＭＴＳハンドオーバ機構（例えば、測定、決定、および実行）が中央制御される場合、上記識別された問題を伴う、ＵＭＴＳと同じ３方向ハンドシェークを使用することである。しかし、移動体オペレータが（物理層アップグレードを含めて）頻繁なプロトコルアップグレードから利益を得ることを可能にし、移動体オペレータが複数のベンダーのネットワークを積極的に用いることを可能にし、ソースｅノードＢからのプロトコルサポートの欠如にもかかわらず、ターゲットｅノードＢにおける新しい無線構成の使用を可能にするためにプロトコル最適化を実施できるような、重要なアーキテクチャ上の差異が存在する。
【００３９】
図３Ａは、ＨＯコマンドメッセージ転送が示される、ｅノードＢ内ハンドオーバを容易にするシステムの非限定的ハイレベルブロック図を例示する。システム３００Ａは、無線方式で（ソースｅノードＢ(source eNode B)と呼ばれる）基地局３０４に通信可能に結合されたユーザ機器(user equipment)３０２を含む。図３および４を参照すると、Ｕｕ（３１６  ４１６）はｅノードＢをＵＥと接続する外部インターフェースであり、Ｘ２（３１８  ４１８）は制御およびユーザプレーンの両方を含む、ｅノードＢ間のインターフェースである。ユーザ機器３０２は、ＵＥ３０２がセクタ内で変換すると、またはｅノードＢ内ハンドオーバを要求している、同じセル内の異なるセクタに変換すると、基地局３０４から受信された信号に関連する品質が変化するように、本質的に移動体であり得る。一般的な理解は、ＨＯコマンド３１４はＲＲＣシグナリングメッセージであり、この場合、メッセージは通常のハンドオーバにおいてソースセルすなわちｅノードＢ３０４によって物理的に送信されるということである。加えて、特定の物理ネットワークエンティティに関するＨＯコマンドプロトコル終了は、ｅＮＢ内ハンドオーバの場合、ソースｅＮＢ３０４内のＲＲＣ３１０によって作成されていると説明できる。
【００４０】
図３Ｂは、本発明の様々な態様が適用可能な、ｅノードＢ間ハンドオーバを容易にするシステムの例示的な非限定的ハイレベルブロック図を示す。システム３００Ｂは、無線方式で（ソースｅノードＢと呼ばれる）基地局３０４に通信可能に結合されたユーザ機器３０２を含む。ユーザ機器３０２は、ＵＥ３０２がターゲットｅノードＢ(target eNode B)３０６に対してｅノードＢ間ハンドオーバを要求している地理的領域内で変換すると、基地局３０４から受信された信号に関連する品質が変化するように、本質的に移動体であり得る。上記に説明されたように、ｅＮＢ間ハンドオーバの場合、ＲＲＣはＵＭＴＳにおけるＲＮＣとは対照的にｅＮＢ（３０４  ３０６）内で終了する。したがって、ターゲットｅＮＢ３０６は、ソースｅＮＢ３０４が実施するＲＲＣプロトコルに関してより新しいＲＲＣプロトコルバージョンをサポートすることが可能である。その結果、ＵＭＴＳノードＢ間ハンドオーバ手順を修正しない場合、ソースｅＮＢ３０４はターゲットｅＮＢ  ＲＲＣプロトコル３１２によってだけ実現される無線パラメータの構成を理解できない可能性があるため、ターゲットｅＮＢ３０６はそのような構成を行うことを妨げられる場合がある。
【００４１】
以下の議論は、ＵＭＴＳという状況に関して、ネットワーク（例えば、基地局３０４およびまたはシステムコントローラ２３０）と無線端末（例えば、ＵＥ３０２またはアクセス端末２２０）の間のシグナリングに関する追加の背景情報を提供する。ある態様では、論理チャネルは制御チャネルおよびトラヒックチャネルに分類される。論理制御チャネルは、システム制御情報をブロードキャストするためのＤＬチャネルであるブロードキャスト制御チャネル（ＢＣＣＨ）と、ページング情報を転送するＤＬチャネルであるページング制御チャネル（ＰＣＣＨ）と、マルチメディアブロードキャストおよびマルチキャストサービス（ＭＢＭＳ）スケジューリングならびに１つまたは複数のマルチキャストトラヒックチャネル（ＭＴＣＨ）に関する制御情報を送信するために使用されるポイントツーマルチポイント(point-to-multipoint)ＤＬチャネルであるマルチキャスト制御チャネル（ＭＣＣＨ）と、を備える。通常、無線リソース制御（ＲＲＣ）接続を確立した後で、このチャネルは、ＭＢＭＳを受信するＵＥ３０２によってだけ使用される。専用制御チャネル（ＤＣＣＨ）は、専用制御情報を送信して、ＲＲＣ接続を有するＵＥ３０２によって使用される、二地点間の二方向チャネルである。別の態様では、論理トラヒックチャネルは、ユーザ情報の転送のために１つのＵＥに専用の二地点間の二方向チャネルである専用トラヒックチャネル（ＤＴＣＨ）、およびトラヒックデータを送信するためのポイントツーマルチポイントＤＬチャネル向けのＭＴＣＨも備える。
【００４２】
別の態様では、トランスポートチャネルはＤＬおよびＵＬに分類される。ＤＬトランスポートチャネルは、ブロードキャストチャネル（ＢＣＨ）と、ダウンリンク共有データチャネル（ＤＬ−ＳＤＣＨ）と、ページングチャネル（ＰＣＨ）とを備え、その場合、ＰＣＨは、セル全体にわたってブロードキャストされて、その他の制御／トラヒックチャネルのために使用することが可能なＰＨＹリソースにマップされるＵＥ電力節約のサポート向けである（間欠受信（ＤＲＸ）サイクルはネットワークによってＵＥに表示される）。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを備える。ＰＨＹチャネルはＤＬチャネルとＵＬチャネルのセットを備える。
【００４３】
ＤＨ  ＰＨＹチャネルは以下を備える。
【００４４】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
肯定応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
ロードインジケータチャネル（ＬＩＣＨ）
ＵＬ  ＰＨＹチャネルは以下を備える。
【００４５】
物理ランダムアクセスチャネル（ＰＲＡＣＨ）
チャネル品質インジケータチャネル（ＣＱＩＣＨ）
肯定応答チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
様々な非限定的な実施形態によれば、本発明は、ノード間ハンドオーバ手順のためのアーキテクチャ上の変更およびプロトコル変更を提供する。本発明の様々な態様によれば、論理プロトコル終了は、ｅＮＢ間ＨＯシグナリングに関してＵＥ３０４とターゲットｅＮＢ３０６の間で実施することが可能である。有利なことに、ＵＥとターゲットｅＮＢとの間のプロトコル終了は、ＬＴＥ向けのＵＭＴＳ  ＨＯ完了メッセージの除去を可能にし、それは、比較的より簡単なプロトコル実施を可能にする、本発明の別の態様によれば、測定報告メッセージおよびＨＯコマンド３１４メッセージは、ソースＢＳ３０４によって、それぞれ、ターゲットＢＳ３０６およびＵＥ３０２に転送することができる。
【００４６】
さらなる非限定的な実施形態では、ＨＯコマンドメッセージ３１４は、ソースｅＮＢ３０４によって適切なＲＲＣメッセージ（例えば、ＲＲＣ直接転送）内にカプセル化することが可能である。有利なことに、ソースｅＮＢ３０４は、ＨＯコマンドメッセージ３１４内のすべてのコンテンツを理解する能力を必要としない。したがって、様々な実施形態によれば、ソースｅＮＢ３０４は、ＨＯコマンドメッセージとしてＨＯコマンドメッセージ３１４を識別する能力だけを最低限要求することができる。別の実施形態では、ソースｅＮＢ４０４は、ＨＯコマンドメッセージ宛先を識別する能力を含み得る。有利なことに、本発明の転送機構は、複数のベンダーのネットワークにおいて挑戦しているかもしれない、ＵＭＴＳのソースＢＳとターゲットＢＳとの間の比較的より複雑な調整機構を必要としない。理解されるように、開示される変更は、異なるプロトコルバージョンを実施しているｅＮＢ間の、または異なるベンダーからのｅＮＢ間の相互運用性の改善を可能にし、これは頻繁なプロトコルアップグレードを可能にする。加えて、別の非限定的な実施形態によれば、本発明は、ターゲットＢＳがソースＢＳによってサポートされない新しい無線構成を構成することを可能にする。
【００４７】
本発明の特定の非限定的な実施形態を説明する目的で、以下の追加のＵＭＴＳ専門用語が使用される。無線リンク制御（ＲＬＣ）は、信頼性を提供する無線インターフェースの副層であり；透過モード（ＲＬＣ−ＴＭ）は、その機能がユーザデータの転送、区分化および再組立てを含むがこれらに限定されない、ＲＬＣにおける透過サービスであり；パケットデータ収束プロトコル（ＰＤＣＰ）は、ＵＭＴＳにおいて、エアインターフェース上で転送するのに先立ってデータを適切な構造にフォーマットするために使用され；サービング無線ネットワークサブシステム（Serving Radio Network Subsystem）（ＳＲＮＳ）は、それぞれのＵＥに対して、ＵＴＲＡＮへの接続を有し、ＵＥとＵＴＲＡＮの間のＲＲＣ接続を制御する１つのＳＲＮＳが存在することを言い；ＣＯＵＮＴ−Ｃは、それぞれの平文ブロックに関して順次に更新される、ＵＭＴＳ暗号化アルゴリズムにおける暗号シーケンス番号(ciphering sequence number)である。様々な実施形態がＵＭＴＳ、ＵＴＲＡＮ、またはＥ−ＵＴＲＡＮに関して説明されるが、当業者は、開示されている本発明の精神から逸脱せずに様々な修正を行うことが可能である点を認識されよう。したがって、ここにおける説明は、ここに添付の特許請求の範囲の中に保ちながら可能である多くの実施形態のうちのほんの１つに過ぎないことを理解すべきである。
【００４８】
図４Ａは、本発明の様々な態様による、ｅノードＢ間ハンドオーバを容易にするシステムの例示的な非限定的ハイレベルブロック図を示す。システム４００Ａは、無線方式で（ソースｅノードＢと呼ばれる）基地局４０４に通信可能に結合されたユーザ機器４０２を含む。ユーザ機器４０２は、ＵＥ４０２がターゲットｅノードＢ４０６に対してｅノードＢ間ハンドオーバを要求している地理的領域内で変換すると、基地局４０４から受信された信号に関連する品質が変化するように、本質的に移動体であり得る。本発明の様々な非限定的な実施形態によれば、ＨＯコマンドメッセージ４１４は、ターゲットｅＮＢ４０６によって作成することが可能であり、ソースｅＮＢ４０４内でＲＲＣによって転送することが可能である。別の非限定的な実施形態によれば、ＨＯコマンドメッセージ４１４は、ソースｅＮＢ４０４によって適切なＲＲＣメッセージ（例えば、ＲＲＣ直接転送）内にカプセル化することが可能である。有利なことに、ソースｅＮＢ４０４は、ＨＯコマンドメッセージ４１４内のすべてのコンテンツを理解する能力を必要としない。したがって、様々な実施形態によれば、ソースｅＮＢ４０４は、ＨＯコマンドメッセージとしてＨＯコマンドメッセージ４１４を識別する能力だけを最低限要求することができる。別の実施形態では、ソースｅＮＢ４０４はＨＯコマンドメッセージ宛先を識別する能力を含み得る。加えて、別の非限定的な実施形態によれば、本発明は、ターゲットｅＮＢ４０６がソースｅＮＢ４０４によってサポートされない新しい無線構成を構成することを可能にする。
【００４９】
図４Ｂは、本発明の様々な態様による、ｅノードＢ間ハンドオーバに関する例示的かつ非限定的なＨＯコマンドメッセージ構造を示す。簡潔に説明されるように、ＨＯコマンドメッセージ（４１４）は、ソースｅＮＢ４０４によって適切なＲＲＣメッセージ４００Ｂ（例えば、ＲＲＣ直接転送）内にカプセル化して、ＵＥ４０２に転送することが可能である。例えば、本発明の様々な態様によれば、ターゲットｅＮＢ４０６からのＨＯコマンドメッセージ４２６は、ソースｅＮＢ  ＲＲＣメッセージ４２０内にカプセル化することが可能であり、この場合、ＨＯコマンドメッセージ４１２は依然として自己復号可能である。本発明のさらなる態様によれば、インテグリティ保護４２２(integrity protection)および暗号化(ciphering)４２８は、ソースｅＮＢ４０４とＨＯコマンドメッセージに関連する移動体デバイスの間の既存のセキュリティ関係に基づいて、ソースｅＮＢ４０４によって実行されることができる。有利なことに、この方法は、ＵＥとターゲットノードの間に新しいセキュリティアソシエーション(security association)を必要としない。例えば、既存のセキュリティアソシエーションは、既存の無線インターフェース層、副層、プロトコルなど、またはそれらの任意の組合せ（例えば、ＲＬＣ、ＰＤＣＰなど）のうちの任意の１つまたは複数によって提供することが可能である。別の例として、情報（例えば、メッセージ判別子(message discriminator)、トランザクション識別子(transaction identifier)など）を備えているＲＲＣヘッダ(RRC header)４２４が、ソースｅＮＢ４０４によって追加されることができる。本発明の様々な態様によれば、提供されるメッセージ構造４００Ｂは、ソースｅＮＢ４０４が対応するプロトコルバージョンをサポートしない場合でも、有利に、ターゲットｅノードＢ４０６の新しいバージョンの無線構成の使用を可能にする。結果として、移動体オペレータは、物理層アップグレードを含めて、頻繁なプロトコルアップグレードから利益を得ることができる。
【００５０】
図４Ｃは、本発明の様々な態様による、ｅＮＢ間ハンドオーバに関する例示的な非限定的シグナリング流れを示す。説明されるように、ＨＯコマンドメッセージ４１４は、ソースｅＮＢ４０４によって、適切なＲＲＣメッセージ４００Ｂ（例、ＲＲＣ直接転送）内にカプセル化され（４３４）、ＵＥ４０２に送信される（４３４）ことができる。さらに、本発明のさらなる非限定的な実施形態によれば、測定報告メッセージは、ノード間メッセージ（例えば、ｅノードＢ間メッセージ）内にカプセル化され４３２、ソースｅＮＢ４０４によってターゲットｅＮＢ４０６に転送されることができる、なおこの場合、ブラケット「［  ］」はそれぞれのメッセージ（４３２  ４３４）のカプセル化(encapsulation)を示す。Ｅ−ＵＴＲＡＮ  ＲＲＭはＵＴＲＡＮのそれよりもより分散されるので、ソースｅＮＢ４０４は、ターゲットｅＮＢ４０６のＲＲＭ状態(RRM situation)の正確な知識を有さないかもしれない。したがって、開示される機構は、ソースｅＮＢが処理するのではなく（例えば、この場合、ソースｅＮＢ４０４は、ＵＥ４０２によって示されるベストのセルだけをみる）、むしろ、ターゲットｅＮＢ４０６が、ＵＥ４０２からの測定報告(Measurement Reports)４３０を処理することを可能にすることによって、さらに最適化されたｅＮＢ間移動性(optimized inter-eNB mobility)を提供する。有利なことに、ターゲットｅＮＢ４０６における測定報告の完全なコンテンツを考慮すると、提供される機構は、ターゲットｅＮＢ４０６が、最も正確なＲＲＭ情報に基づいて最善のハンドオーバ決定(the best handover decision)を行うこと、を可能にする。結果として、ｅＮＢ間ハンドオーバにおける典型的なメッセージ交換は、論理的観点から、ＵＥ４０２とターゲットｅＮＢ４０６との間で発生するとして説明されることができる。様々な非限定的な実施形態によれば、提供されるメッセージ転送機構は、ソースｅＮＢ４０４とターゲットｅＮＢ４０６との間の複雑な調整の必要性、ならびに、ベンダーとプロトコルバージョンとの間に結果として生じる相互運用性の問題(resultant interoperability problems)、を有利に(advantageously)除去する。
【００５１】
さらなる利点として、ＵＥ４０２とターゲットｅＮＢ４０６の間のプロトコル終了は、比較的より簡単なプロトコル実施を可能にする、ＬＴＥ向けのＵＭＴＳ  ＨＯ完了メッセージの除去を可能にする。経験が示すところによれば、ＨＯ完了メッセージに依存することは不安定なプロトコル動作につながる場合がある。実際に、ＵＭＴＳにおける一部の手順は完了メッセージに関するＬ２−ＡＣＫに依存する。本発明の別の態様によれば、これは、下記に説明されるように、ＬＴＥの場合、追加または補足の情報(additional or supplemental information)（例えば、ＲＲＣトランザクション識別子、ＵＬにおけるインテグリティ保護に関する活性化時間、ＲＬＣ−ＴＭを使用した無線ベアラ（ＲＢ）に関する暗号化活性化時間、可逆ＳＲＮＳ位置変更をサポートするためのＰＤＣＰシーケンス番号情報、ＣＯＵＮＴ−Ｃ初期化（ＳＲＮＳ位置変更）に関する開始値など、ＵＴＲＡＮ  ＸＸ＿完了メッセージ情報）をＨＯコマンドメッセージ内または測定報告メッセージ内に配置することによって回避することが可能である。したがって、ＵＥ４０２によるハンドオーバの物理部分の完了は（例えば、ターゲットセル内のランダムアクセスの一部として）Ｌ１／Ｌ２シグナリングによって取得することができる。
【００５２】
例示の目的で、様々なＵＴＲＡＮ  ＸＸ＿完了メッセージ情報は、無線通信システムにおいてハンドオーバ完了の事象、機能、表示、インジケータなどの円滑化、作成、生成、実行などを行うためにＨＯコマンドメッセージ内または測定報告メッセージ内にオプションでおよび追加で、または補足的に含むために説明されている。しかし、そのような説明は、添付の特許請求の範囲に必要であるとしてまたは当該範囲を限定するためであるとして解釈されるべきではないことを理解すべきである。結果として、本発明の範囲から逸脱せずに、特定の実施詳細または設計の考慮事項に応じて、そのような情報は、以下の考慮事項のうちの少なくとも１つまたは複数に応じて、ＨＯコマンドメッセージ内または測定報告メッセージ内に含まれてよく、または含まれなくてもよい。例えば、ＲＲＣトランザクション識別子は、ネットワークがＵＥがどの構成を失敗したかを知るように、ＵＥからの応答メッセージがＸＸ＿障害である場合、より有用な場合がある。成功した場合、ネットワークが複雑な再構成を開始しない限り、この情報は重要ではない。別の例として、ＵＬにおけるインテグリティ保護に関する活性化時間およびＣＯＵＮＴ―Ｃ初期化（ＳＲＮＳ位置変更）に関する開始値は、ネットワークによって決定されて、ＨＯコマンドメッセージに含むことが可能である。いずれの場合も、これはＬＴＥにおいてセキュリティ手順の簡素化のために望まれる場合がある。加えて、ＲＬＣシーケンス番号に依存するＲＬＣ−ＴＭに関する暗号化はＬＴＥに関して構想されないため、ＲＬＣ−ＴＭを使用した無線ベアラ（ＲＢ）に関する暗号化活性化時間は、場合によっては、ＬＴＥにおいてもはや重要でない。さらに、ＵＥからのＰＤＣＰシーケンス番号情報は可逆ＳＲＮＳ位置変更をサポートするために要求されない場合がある。結果として、本発明は有利に、ＬＴＥにおいて潜在的に冗長なまたは不要なＨＯ完了メッセージの除去を可能にし、プロトコルの複雑さを最低限に抑えることを可能にする。
【００５３】
次に、図５を参照すると、無線通信環境内で用いるための通信装置５００が例示される。装置５００は、基地局３０４もしくはその一部であってよく、またはユーザ機器３０２もしくは（プロセッサに結合されたセキュアデジタル（ＳＤ）カードなど）その一部であってもよい。装置５００は、信号処理、通信のスケジューリング、測定ギャップを要求することなどに関する様々な命令を保存するメモリ５０２を含み得る。例えば、装置５００が図１１〜１２および１５に関連して以下に説明されるユーザ機器である場合、メモリ５０２は、ノード間メッセージ（例えば、ｅノードＢ間メッセージ）内にソーシノードカプセル化するために測定報告メッセージをソースノードに送信して、ターゲットノードに転送するための命令を含み得る。本発明の様々な態様によれば、メモリ５０２は、ターゲットノードから転送されたソースノードカプセル化されたハンドオーバコマンドメッセージを受信するための命令をさらに含み得る。さらに、メモリ５０２は、カプセル化されたハンドオーバコマンドメッセージ内に含まれた、ハンドオーバ完了表示の生成を容易にするための補足情報を処理するための命令を含み得る。このために、メモリ５０２は、ハンドオーバ完了表示の生成を容易にするための追加情報(additional information)を測定報告メッセージに添付するための命令を含み得る。上記例の命令およびその他の適切な命令はメモリ５０２内に保存することが可能であり、プロセッサ５０４は（例えば、測定報告比較、ハンドオーバ決定の結果、ハンドオーバコマンドの受信などに応じて）命令を実行することに関して利用することが可能である。
【００５４】
また、上記のように、装置５００は、図９〜１０および１４に関連して下記に説明されるような基地局および／またはその一部であり得る。基地局は、様々なノードＢに関するＵＥの特定の環境に応じて、通常、ソースノードまたはターゲットノードの役割を実行する。ソースノードの例として、ここに説明される様々な態様によれば、メモリ５０２は、ターゲット基地局によって作成されたハンドオーバコマンドを受信するための命令と、当該ハンドオーバコマンドを無線リソース制御メッセージ内にカプセル化するための命令とを含み得る。本発明の別の態様によれば、メモリ５０２は、ハンドオーバコマンドに関連する移動体デバイスとソースノードの間の既存のセキュリティ関係を利用して、カプセル化されたハンドオーバコマンドを暗号化するための命令と、インテグリティ保護情報のうちの１つまたは複数と無線リソース制御ヘッダ(one or more of integrity protection information and a Radio Resource Control header)を添付するための命令とを追加として含み得る。加えて、メモリ５０２は、カプセル化されたハンドオーバコマンドを移動体デバイスに送信することを容易にするための命令をさらに含み得る。ターゲットノードの例として、ここに説明される様々な態様によれば、メモリ５０２は測定報告メッセージを受信および処理するための命令を含み得る。本発明の別の態様によれば、メモリ５０２は、ハンドオーバ完了表示を作成するための測定報告メッセージ内に含まれた追加情報を処理するための命令を追加として含み得る。さらに、メモリ５０２は、測定報告メッセージに関連する無線端末に関するハンドオーバ決定を、ターゲットノードによって、決定するための命令をさらに含むことができる。さらに、メモリ５０２は、ターゲットノードによって、ハンドオーバコマンドメッセージを無線端末に送信するための命令を含むことができる、なお、ハンドオーバコマンドメッセージは、ハンドオーバ完了表示を作成することを容易にするために、補足情報を含む。プロセッサ５０４は、メモリ５０２内に保存された命令を実行するために用いることが可能である。いくつかの例が提供されているが、方法の形式で説明される命令（例えば、図６〜７）は、メモリ５０２内に含めて、プロセッサ５０４によって実行することが可能である点を理解すべきである。
【００５５】
図６および７を参照すると、様々な実施形態によるｅノードＢ間ハンドオーバに関する特定のハイレベル方法が例示される。説明を簡素化する目的で、方法は一連の動作として示され、説明されるが、いくつかの動作はここに示され、説明される動作と異なる順序でかつ／またはその他の動作と同時に発生する可能性があるため、これらの方法は動作の順序によって限定されない点を理解および認識すべきである。例えば、当業者は、これらの方法はあるいは、状態図におけるように、一連の相互に関係する状態または事象として表すことが可能である点を理解および認識されよう。さらに、１つまたは複数の実施形態によれば、方法を実施するために例示されたすべての動作が利用されるとは限らない。
【００５６】
図６は、ここに説明される様々な実施形態による、ｅノードＢ間ハンドオーバに関する例示的な非限定的ハイレベル方法を示す。上記に説明されるように、基地局は、様々なノードＢに対するＵＥの特定の環境に応じて、通常、ソースノードまたはターゲットノードの役割を実行することができる。結果として、ソースノードおよびターゲットノードという状況に関して、ｅノードＢ間ハンドオーバに関する方法が説明される。例えば、1つの方法６００は、６０２でターゲットノードによって作成されたハンドオーバコマンドメッセージをソースノード内で受信することを備え得る。６０４で、ハンドオーバコマンドメッセージは、無線リソース制御メッセージ内にカプセル化されることができ、これはまた、６０６でソースノードによってインテグリティチェック情報(integrity check information)またはＲＲＣヘッダを添付することを含むこともできる。６０８で、カプセル化されたハンドオーバコマンドメッセージは、そのハンドオーバコマンドメッセージに関連するＵＥとソースノードの間の既存のセキュリティアソシエーションに基づいて暗号化することが可能である。次いで、カプセル化されたハンドオーバコマンドメッセージは、６１０でハンドオーバコマンドメッセージと関連する無線端末に送信することができる。別の方法６５２は、６５２でターゲットノードが測定報告を受信および処理することを備え得る。６５４で、ターゲットノードは、測定報告内に含まれた、無線通信システムにおいてハンドオーバ完了表示の生成を容易にするための補足情報を追加として処理することが可能である。６５６で、ターゲットノードは、測定報告に関連する移動体デバイスに関するハンドオーバ決定を決定し、６５８でハンドオーバコマンドを移動体デバイスに送信する。加えて、ターゲットは、６６０でハンドオーバ完了表示の生成を容易にするための補足情報を含むことが可能である。
【００５７】
図７は、ここに説明される様々な実施形態によるｅノードＢ間ハンドオーバに関する別の特定のハイレベル方法を例示する。ユーザ機器に関して、1つの方法は、７０２で、ノード間メッセージ（例えば、ｅノードＢ間メッセージ）内にソースノードカプセル化するために測定報告をソースノードに送信することと、ターゲットノードに転送することとを備えることができる。加えて７０４で、ＵＥはハンドオーバ完了表示を生成することを容易にするために追加情報を測定報告に添付できる。７０６で、ターゲットノードから転送された、ソースノードカプセル化されたハンドオーバコマンドメッセージはＵＥで受信されることができ、ＵＥは６０８で、カプセル化されたハンドオーバコマンドメッセージ内に含まれたハンドオーバ完了表示を生成することを容易にするために補足情報を処理することができる。
【００５８】
図８は、複数のセル、すなわち、セルＩ８０２、セルＭ８０４を含む、様々な態様に従って実施される例示的な通信システム８００を示す。セル境界領域８６８によって示されるように、隣り合うセル８０２および８０４は若干重複し、それにより、隣り合うセル内の基地局によって送信された信号間に信号干渉の可能性を生み出す点に留意すべきである。システム８００のそれぞれのセル８０２および８０４は３つのセクタを含む。様々な態様によれば、複数のセクタに再分割されていないセル（Ｎ＝１）、２つのセクタを有するセル（Ｎ＝２）および４つ以上のセクタを有するセル（Ｎ＞３）も可能である。セル８０２は、第１のセクタ（セクタＩ８１０）と、第２のセクタ（セクタＩＩ８１２）と、第３のセクタ（セクタＩＩＩ８１４）とを含む。それぞれのセクタ８１０、８１２、８１４は２つのセクタ境界領域を有し、それぞれの境界領域は２つの隣接セクタ間で共有される。
【００５９】
セクタ境界領域は、隣り合うセクタ内の基地局によって送信された信号間に信号干渉の可能性をもたらす。ライン８１６はセクタＩ８１０とセクタＩＩ８１２の間のセクタ境界領域を表し、ライン８１８はセクタＩＩ８１２とセクタＩＩＩ８１４の間のセクタ境界領域を表し、ライン８２０はセクタＩＩＩ８１４とセクタＩ８１０の間のセクタ境界領域を表す。同様に、セルＭ８０４は第１のセクタ（セクタＩ８２２）と、第２のセクタ（セクタＩＩ８２４）と、第３のセクタ（セクタＩＩＩ８２６）とを含む。ライン８２８は、セクタＩ８２２とセクタＩＩ８２４の間のセクタ境界領域を表し、ライン８３０はセクタＩＩ８２４とセクタＩＩＩ８２６の間のセクタ境界領域を表し、ライン８３２はセクタＩＩＩ８２６とセクタＩ８２２の間の境界領域を表す。セルＩ８０２は、基地局（ＢＳ）（基地局Ｉ８０６）と、それぞれのセクタ８１０、８１２、８１４内に複数の終端ノード（ＥＮ）（例えば、無線端末）とを含む。セクタＩ８１０は、それぞれ、無線リンク８４０、８４２を介してＢＳ８０６に結合されたＥＮ（１）８３６およびＥＮ（Ｘ）８３８を含み、セクタＩＩ８１２は、それぞれ、無線リンク８４８、８５０を介してＢＳ８０６に結合されたＥＮ（１’）８４４およびＥＮ（Ｘ’）８４６を含み、セクタＩＩＩ８１４は、それぞれ、無線リンク８５６、８５８を介してＢＳ８０６に結合されたＥＮ（１’’）８５２およびＥＮ（Ｘ’’）８５４を含む。同様に、セルＭ８０４は、基地局Ｍ８０８と、それぞれのセクタ８２２、８２４、８２６内に複数の終端ノード（ＥＮ）とを含む。セクタＩ８２２は、それぞれ、無線リンク８４０’、８４２’を介してＢＳ  Ｍ８０８に結合されたＥＮ（１）８３６’およびＥＮ（Ｘ）８３８’を含み、セクタＩＩ８２４は、それぞれ、無線リンク８４８’、８５０’を介してＢＳ  Ｍ８０８に結合されたＥＮ（１’）８４４’およびＥＮ（Ｘ’）８４６’を含み、セクタ３８２６は、それぞれ、無線リンク８５６’、８５８’を介してＢＳ８０８に結合されたＥＮ（１’’）８５２’およびＥＮ（Ｘ’’）８５４’を含む。
【００６０】
システム８００はまた、それぞれ、ネットワークリンク８６２、８６４を介してＢＳ  Ｉ８０６およびＢＳ  Ｍ８０８に結合されたネットワークノード８６０も含む。ネットワークノード８６０はまた、ネットワークリンク８６６を介して、その他のネットワークノード（例えば、その他の基地局、ＡＡＡサーバノード、中間ノード、ルータなど）およびインターネットに結合される。ネットワークリンク８６２、８６４、８６６は、例えば、光ファイバケーブルであり得る。それぞれの終端ノード（例えば、ＥＮ（１）８３６）は、送信機ならびに受信機を含む無線端末であり得る。無線端末（例えば、ＥＮ（１）８３６）はシステム８００の全体にわたって移動することができ、無線リンクを介してＥＮが現在位置するセル内の基地局と通信することが可能である。無線端末（ＷＴ）（例えば、ＥＮ（１）８３６）は、基地局（例えば、ＢＳ８０６）および／またはネットワークノード８６０を介して、同位ノード（例えば、システム８００内またはシステム８００外部のその他のＷＴ）と通信することが可能である。ＷＴ（例えば、ＥＮ（１）８３６）は、セル電話、無線モデムを有する携帯情報端末など、移動体通信デバイスであり得る。それぞれの基地局またはその一部は、ｅノードＢ間ハンドオーバおよびハンドオーバ完了表示の生成に関してここに説明される様々なソースおよびターゲットノード方法(source and target node Methodologies)を実行することが可能である。無線端末またはその一部は、ここにおいて提供される様々な態様に従って、ｅノードＢ間ハンドオーバおよびハンドオーバ完了表示の生成を容易にするために提供される機構を使用することが可能である。
【００６１】
図９は、ｅＮＢ間ハンドオーバ機構に関して利用することが可能なシステムを例示する。システム９００は、１本または複数の受信アンテナ９０６によって１つまたは複数のユーザデバイス９０４から（１つまたは複数の）信号を受信して、複数の送信アンテナ９０８を介して１つまたは複数のユーザデバイス９０４にその信号を送信する受信機９１０を有する基地局９０２を備える。一例では、受信アンテナ９０６および送信アンテナ９０８は、アンテナの単一のセットを使用して実施することができる。受信機９１０は受信アンテナ９０６から情報を受信することが可能であり、受信された情報を復調する復調器(demodulator)９１２と動作可能に関連づけられる。例えば、受信機９１０は、当業者によって理解されるように、Ｒａｋｅ受信機（例えば、複数のベースバンド相関器を使用してマルチパス信号コンポーネントを個々に処理する技術、・・・）、ＭＭＳＥベースの受信機、または受信機に割り当てられたユーザデバイスを分離するためのいくつかのその他の適切な受信機であり得る。例えば、複数の受信機（例えば、受信アンテナごとに１つ）を用いることが可能であり、そのような受信機はユーザデータの改善された推定を提供するために互いと通信することができる。復調された記号は、図１１に関して下記で説明されるプロセッサ１１０６に類似したプロセッサ９１４によって解析され、ユーザデバイス割当てに関する情報、その情報に関するルックアップテーブルなどを記憶するメモリ９１６に結合される。それぞれのアンテナに関する受信機アウトプットは、受信機９１０および／またはプロセッサ９１４によって一緒に処理することが可能である。変調器(modulator)９１８は、送信アンテナ９０８を介して送信機９２０によってユーザデバイス９０４に伝送するために信号を多重化することが可能である。
【００６２】
図１０は、本発明の様々な態様による例示的な基地局１０００を示す。基地局１０００またはその一部は、本発明の様々な態様を実施する。例えば、本発明の様々な態様によれば、基地局１０００は転送およびカプセル化を実行すると同時にハンドオーバコマンドを発行することが可能である。基地局１０００は、図８のシステム８００の基地局８０６、８０８のいずれか１つとして使用することが可能である。基地局１０００は、その上で様々なエレメント１００２、１００４、１００６、１００８、および１０１０がデータおよび情報を交換することが可能なバス１００９によって一緒に結合された受信機１００２と、送信機１００４と、プロセッサ１００６（例えば、ＣＰＵ）と、入出力インターフェース１００８と、メモリ１０１０とを含む。
【００６３】
受信機１００２に結合されたセクタ化されたアンテナ１００３は、基地局のセル内のそれぞれのセクタからの無線端末伝送からデータおよびその他の信号（例えば、チャネル報告）を受信するために使用され、１本または複数の受信アンテナを備え得る。送信機１００４に結合されたセクタ化されたアンテナ１００５は、基地局のセルのそれぞれのセクタ内の無線端末１２００（図１２を参照）にデータおよびその他の信号（例えば、制御信号、パイロット信号、ビーコン信号など）を送信するために使用される。様々な態様では、基地局１０００は複数の受信機１００２および複数の送信機１００４（例えば、それぞれのセクタ向けの個々の受信機１００２およびそれぞれのセクタ向けの個々の送信機１００４）を用いることが可能である。プロセッサ１００６は、例えば、汎用中央処理装置（ＣＰＵ）であってよい。プロセッサ１００６はメモリ１０１０内に記憶された１つまたは複数のルーチン１０１８の指令を受けて基地局１０００の動作を制御して、方法を実施する。Ｉ／Ｏインターフェース１００８は、ＢＳ１０００をその他の基地局、アクセスルータ、ＡＡＡサーバノードなどに結合しているその他のネットワークノード、その他のネットワーク、およびインターネットに対する接続を提供する。メモリ１０１０はルーチン１０１８およびデータ／情報１０２０を含む。
【００６４】
データ／情報１０２０は、データ１０３６と、ダウンリンクストリップシンボル時間情報(downlink strip-symbol time information)１０４０およびダウンリンクトーン情報(downlink tone information)１０４２を含むトーンサブセット割当てシーケンス情報(tone subset allocation sequence information)１０３８と、ＴＷ情報の複数のセット（ＷＴ  １情報１０４６およびＷＴ  Ｎ情報１０６０）を含む無線端末（ＷＴ）データ／情報１０４４と、を含む。ＷＴ情報のそれぞれのセット（例えば、ＷＴ１情報１０４６）は、データ１０４８と、端末ＩＤ１０５０と、セクタＩＤ１０５２と、アップリンクチャネル情報１０５４と、ダウンリンクチャネル情報１０５６と、モード情報１０５８とを含む。
【００６５】
ルーチン(routines)１０１８は、通信ルーチン(communications routines)１０２２と基地局制御ルーチン(base station control routines)１０２４とを含む。基地局制御ルーチン１０２４は、スケジューラモジュール(scheduler module)１０２６と、ストリップシンボル期間(strip-symbol periods)のトーンサブセット割当てルーチン(tone subset allocation routine)１０３２、その他のシンボル期間、例えば非ストリップシンボル期間、の他のダウンリンクトーン割当てホッピングルーチン(other downlink tone allocation hopping routine)１０３２、およびビーコンルーチン(beacon routine)１０３４、を含むシグナリングルーチン(signaling routines)１０２８と、を含む。
【００６６】
データ１０３６は、ＷＴに対する伝送に先立って符号化するために送信機１００４の符号器(encoder)１０１４に送られることになる、送信されることになるデータと、受信に続いて受信機１００２の復号器(decoder)１０１２を介して処理されている、ＷＴから受信されたデータとを含む。ダウンリンクストリップシンボル時間情報１０４０は、スーパスロット構造情報、ビーコンスロット構造情報、およびウルトラスロット構造情報などのフレーム同期構造情報と、所与のシンボル期間がストリップシンボル期間であるかどうかを特定し、そうであれば、ストリップシンボル期間の指数およびそのストリップシンボルが基地局によって使用されるトーンサブセット割当てシーケンスを切り捨てるための再設定ポイントであるかどうかを特定する情報を含む。ダウンリンクトーン情報１０４２は、基地局１０００に割り当てられた搬送周波数と、トーンの数および周波数と、ストリップシンボル期間に割り当てられることになるトーンサブセットのセットと、スロープ(slope)、スロープ指数およびセクタタイプなど、その他のセルならびにセクタに特定の値とを含む情報を含む。
【００６７】
データ１０４８は、ＷＴ１  １２００が同位ノードから受信したデータと、ＷＴ１  １２００が同位ノードに送信することを望むデータと、ダウンリンクチャネル品質報告フィードバック情報とを含み得る。端末ＩＤ１０５０は、ＷＴ１  １２００を識別する、基地局１０００によって割り当てられたＩＤである。セクタＩＤ１０５２は、ＷＴ１  １２００が動作しているセクタを識別する情報を含む。セクタＩＤ１０５２は、例えば、セクタタイプを決定するために使用することができる。アップリンク情報１０５４は、ＷＴ１  １２００が使用するためにスケジューラ１０２６によって割り当てられているチャネル区分（例えば、データ向けのアップリンクトラヒックチャネル区分、要求、電力制御、タイミング制御、アクティブな流れの数などに関する専用アップリンク制御チャネル）を識別する情報を含む。本発明の様々な態様によれば、ＷＴ１  １２００に割り当てられたそれぞれのアップリンクチャネルは１つまたな複数の論理トーンを含み、それぞれの論理トーンはアップリンクホッピングシーケンスに従う。ダウンリンクチャネル情報１０５６は、データおよび／または情報をＷＴ１  １２００に運ぶためにスケジューラ１０２６によって割り当てられているチャネル区分（例えば、ユーザデータ向けのダウンリンクトラヒックチャネル区分）を識別する情報を含む。ＷＴ１  １２００に割り当てられたそれぞれのダウンリンクチャネルは、それぞれがダウンリンクホッピングシーケンスに従う１つまたは複数の論理トーンを含む。モード情報１０５８は、ＷＴ１  １２００の動作状態を識別する情報（例えば、スリープ、保留、オン）を含む。
【００６８】
通信ルーチン１０２２は、様々な通信動作を実行して、様々な通信プロトコルを実施するために基地局１０００を制御する。基地局制御ルーチン１０２４は、基本的な基地局機能タスク（例えば、信号の生成および受信、スケジューリング）を実行して、ストリップシンボル期間中、トーンサブセット割当てシーケンスを使用して信号を無線端末に送信することを含めて、いくつかの態様の方法のステップを実施する目的で基地局１０００を制御するために使用される。
【００６９】
シグナリングルーチン１０２８は、その復号器１０１２を用いて受信機１００２の動作を制御し、その符号器(encoder)１０１４を用いて送信機１００４の動作を制御する。シグナリングルーチン１０２８は、送信データ１０３６および制御情報の生成を制御する責任を負う。トーンサブセット割当てルーチン１０３０は、この態様の方法を使用して、かつダウンリンクストリップシンボル時間情報１０４０およびセクタＩＤ１０５２を含むデータ／情報１０２０を使用して、ストリップシンボル期間において使用されることになるトーンサブセットを構築する。ダウンリンクトーンサブセット割当てシーケンス(downlink tone subset allocation sequences)は、セル内のそれぞれのセクタタイプに関して異なることになり、かつ隣接するセルに関して異なることになる。ＷＴ１２００は、ダウンリンクトーンサブセット割当てシーケンスに従ってストリップシンボル期間において信号を受信し、基地局１０００は、送信信号を生成するために、同じダウンリンクトーンサブセット割当てシーケンスを使用する。その他のダウンリンクトーン割当てホッピングルーチン１０３２は、ダウンリンクトーン情報１０４２と、ダウンリンクチャネル情報１０５６とを含む情報を使用して、ストリップシンボル期間以外のシンボル期間に対して、ダウンリンクトーンホッピングシーケンスを構築する。ダウンリンクデータトーンホッピングシーケンスは、セルのセクタの全域で同期される。ビーコンルーチン１０３４は、同期目的で（例えば、ダウンリンク信号のフレームタイミング構造、したがって、ウルトラスロット境界に関するトーンサブセット割当てシーケンスを同期するために）使用することが可能なビーコン信号（例えば、１つまたは少数のトーン上に集中した比較的高い電力信号の信号）の伝送を制御する。
【００７０】
図１１は、ここに説明されるようなｅノードＢ間ハンドオーバ機構に関して利用することが可能なシステム１１００を例示する。システム１１００は、例えば、１本または複数の受信アンテナから信号を受信して、その信号上で通常の動作（例えば、フィルタ処理、増幅、ダウンコンバート、・・・）を実行し、受信信号、およびサンプルを取得するために条件付けされた信号をデジタル化する受信機１１０２を備える。復調器１１０４は受信されたパイロット信号を復調して、チャネル推定のためにプロセッサ１１０６に提供することができる。
【００７１】
プロセッサ１１０６は、受信機コンポーネント１１０２によって受信された情報を解析するためおよび／または送信機１１１４による伝送に関する情報を生成するための専用プロセッサであってよい。プロセッサ１１０６は、システム１１００の１つまたは複数の部分を制御するプロセッサであってよく、かつ／または受信機１１０２によって受信された情報を解析して、送信機１１１４による伝送に関する情報を生成して、システム１１００の１つまたは複数の部分を制御するプロセッサであってもよい。システム１１００は、１つもしくは複数の技術および／または周波数に関する測定を実行する前、その最中、および／またはその後にユーザ機器のパフォーマンスを最適化することができる最適化コンポーネント(optimization component)１１０８、を含むことができる。最適化コンポーネント１１０８は、プロセッサ１１０６に組み込まれることができる。最適化コンポーネント１１０８は、測定ギャップ(measurement gaps)をリクエストすることに関連してユーティリティベースの解析(utility based analysis)を実行する最適化コード(optimization code)を含むことができる、ということを理解すべきである。最適化コードは、符号化および復号化の方式に関連して、統計ベースの決定、および／または確率的な決定および／または推論を実行することに関連して人工知能ベースの方法(artificial intelligence based methods)を利用することができる。
【００７２】
システム（ユーザ機器）１１００は、プロセッサ１１０６に動作可能に結合され、測定ギャップ情報、スケジューリング情報などの情報を記憶するメモリ１１００を追加として備えることが可能であり、この場合、そのような情報は測定ギャップを要求することを割り当てること、および測定ギャップの間に測定を実行することに関して用いることができる。メモリ１１１０は、システム１１００がシステム容量を増大するために記憶されたプロトコルおよび／またはアルゴリズムを用いることができるように、ルックアップテーブルなどの生成に関連するプロトコルを追加として記憶することが可能である。ここに説明されるデータ記憶（例えば、メモリ）コンポーネントは、揮発性メモリであってよく、もしくは不揮発性メモリであってもよく、または揮発性メモリと不揮発性メモリの両方を含んでもよいことを理解すべきである。限定ではなく例として、不揮発性メモリは、読出し専用メモリ（ＲＯＭ）、プログラム可能なＲＯＭ（ＰＲＯＭ）、電気的にプログラム可能なＲＯＭ（ＥＰＲＯＭ）、電気的に消去可能なＲＯＭ（ＥＥＰＲＯＭ）、またはフラッシュメモリを含み得る。揮発性メモリは、外部のキャッシュメモリとして働くランダムアクセスメモリ（ＲＡＭ）を含み得る。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバス（direct Rambus）ＲＡＭ（ＤＲＲＡＭ（登録商標））など、多くの形式で利用可能である。メモリ１１１０は、限定することなく、これらのタイプのメモリおよび任意のその他の適切なタイプのメモリを備えることが意図される。プロセッサ１１０６は、記号変調器１１１２と、変調信号を送信する送信機１１１４とに接続される。
【００７３】
図１２は、無線端末（例えば、図８に示されるシステム８００のＥＮ（１）８３６）のうちのいずれか１つとして使用することが可能な例示的な無線端末（例えば、終端ノード、移動体デバイス、・・・）１２００を示す。無線端末１２００は、その上で様々なエレメント１２０２、１２０４、１２０６、１２０８がデータおよび情報を交換することが可能なバス１２１０によって一緒に結合される、復号器１２１２を含む受信機１２０２と、符号器１２１４を含む送信機１２０４と、プロセッサ１２０６と、メモリ１２０８とを含む。基地局から信号を受信するために使用されるアンテナ１２０３は受信機１２０２に結合される。例えば、基地局に信号を送信するために使用されるアンテナ１２０５は送信機１２０４に結合される。上記に説明されたように、様々な修正が可能である点を理解すべきである。プロセッサ１２０６（例えば、ＣＰＵ）は無線端末１２００の動作を制御して、メモリ１２０８内でルーチン１２２０を実行し、かつデータ／情報１２２２を使用することによって方法を実施する。
【００７４】
ＯＦＤＭＡ通信システムの事例では、データ／情報１２２２は、ユーザデータ１２３４と、ユーザ情報１２３６と、トーンサブセット割当てシーケンス情報１２５０とを含む。ユーザデータ１２３４は、送信機１２０４による基地局１０００に対する伝送に先立って符号化するために符号器１２１４に経路指定することが可能な、同位ノード向けのデータと、受信機１２０２内で復号器１２１２によって処理されている、基地局１０００から受信されたデータとを含み得る。ユーザ情報１２３６は、アップリンクチャネル情報１２３８と、ダウンリンクチャネル情報１２４０と、端末ＩＤ情報１２４２と、基地局ＩＤ情報１２４４と、セクタＩＤ情報１２４６と、モード情報１２４８とを含む。アップリンクチャネル情報１２３８は、基地局１０００に送信するときに無線端末１２００が使用するために基地局１０００によって割り当てられているアップリンクチャネル区分を識別する情報を含む。アップリンクチャネルは、アップリンクトラヒックチャネルと、専用アップリンク制御チャネル（例えば、要求チャネル、電力制御チャネルおよびタイミング制御チャネル）とを含み得る。ＯＦＤＭＡ通信システムの事例では、それぞれのアップリンクチャネルは１つまたは複数の論理トーンを含み、それぞれの論理トーンはアップリンクトーンホッピングシーケンスに従う。いくつかの実施形態では、アップリンクホッピングシーケンスは、セルのそれぞれのセクタタイプ間で異なり、かつ隣接セル間で異なる。
【００７５】
ダウンリンクチャネル情報１２４０は、基地局がデータ／情報をＷＴ１２００に送信するときに使用するために基地局によってＷＴ１２００に割り当てられているダウンリンクチャネル区分を識別する情報を含む。ダウンリンクチャネルは、ダウンリンクトラヒックチャネルと割当てチャネルとを含むことが可能であり、それぞれのダウンリンクチャネルは１つまたは複数の論理トーンを含み、それぞれの論理トーンは、セルのそれぞれのセクタ間で同期されるダウンリンクホッピングシーケンスに従う。
【００７６】
ユーザ情報１２３６はまた、基地局１０００によって割り当てられた識別である端末ＩＤ情報１２４２、ＷＴが通信を確立した特定の基地局１０００を識別する基地局ＩＤ情報１２４４、およびＷＴ１２００が現在位置する、セルの特定のセクタを識別するセクタＩＤ情報１２４６も含む。例示的なＯＦＤＭＡ通信システムでは、基地局ＩＤ１２４４はセルスロープ値を提供し、セクタＩＤ情報１２４６はセクタ指数タイプを提供する。セルスロープ値およびセクタ指数タイプはトーンホッピングシーケンスを導き出すために使用することが可能である。やはりユーザ情報１２３６内に含まれるモード情報１２４８は、ＷＴ１２００がスリープモードであるか、保留モードであるか、オンモードであるかを識別する。
【００７７】
いくつかのＯＦＤＭＡ実施形態では、トーンサブセット割当てシーケンス情報１２５０はダウンリンクストリップシンボル時間情報１２５２とダウンリンクトーン情報１２５４とを含む。ダウンリンクトーン情報１２５４は、基地局１０００に割り当てられた搬送周波数と、トーンの数および周波数と、ストリップシンボル期間に割り当てられることになるトーンサブセットのセットと、スロープ、スロープ指数およびセクタタイプなど、その他のセルおよびセクタに特定の値と、を含む情報を含む。
【００７８】
ルーチン１２２０は、通信ルーチン１２２４と、無線端末制御ルーチン１２２６とを含む。通信ルーチン１２２４は、ＷＴ１２００によって使用される様々な通信プロトコルを制御する。無線端末制御ルーチン１２２６は、受信機１２０２および送信機１２０４の制御を含めて、基本的な無線端末１２００の機能性を制御する。無線端末制御ルーチン１２２６はシグナリングルーチン１２２８を含む。いくつかのＯＦＤＭＡ実施形態では、トーンサブセット割当てルーチン１２３０は、いくつかの実施形態に従ってダウンリンクトーンサブセット割当てシーケンスを生成して、基地局１０００から送信された受信データを処理するために、ダウンリンクチャネル情報１２４０と、基地局ＩＤ情報１２４４（例えば、スロープ指数およびセクタタイプ）と、ダウンリンクトーン情報１２５４とを含むユーザデータ／情報１２２２を使用する。
【００７９】
図１３は、本発明の様々な態様によるｅノードＢ間ハンドオーバ機構を組み込むのに適した通信システムの例示的かつ非限定的なブロック図を示し、この場合、送信機システム１３１０（例えば、基地局、アクセスポイントなど）および受信機システム１３５０（アクセス端末、ユーザ機器、移動体ノードなど）は、ＭＩＭＯシステム１３００において無線通信中である。送信機システム１３１０で、いくつかのデータ流れ向けのトラヒックデータがデータソース１３１２から送信（ＴＸ）データプロセッサ１３１４に提供される。ある実施形態では、それぞれのデータ流れはそれぞれの送信アンテナ上で送信される。ＴＸデータプロセッサ１３１４は、符号化されたデータを提供するためにそのデータ流れに関して選択された特定の符号化方式に基づいて、それぞれのデータ流れ向けのトラヒックデータをフォーマット、符号化、およびインタリーブする。本発明の様々な実施形態によれば、送信機システム１３１０は、カプセル化されたハンドオーバコマンドを受信機システム１３５０に転送することによってｅノードＢ間ハンドオーバを容易にする。
【００８０】
それぞれのデータ流れに関する符号化されたデータは、ＯＦＤＭ技術を使用してパイロットデータを用いて多重化することが可能である。パイロットデータは、通常、知られている方式で処理される知られているデータパターンであり、チャネル応答を推定するために受信機システムで使用することが可能である。それぞれのデータ流れに関して多重化されたパイロットデータおよび符号化されたデータは、次いで、変調記号を提供するためにそのデータ流れに関して選択された特定の変調方式（例えば、ＢＰＳＫ、ＱＳＰＫ、Ｍ−ＰＳＫ、またはＭ−ＱＡＭ）に基づいて変調される（すなわち、記号マップされる）。それぞれのデータ流れに関するデータ転送速度、符号化、および変調は、プロセッサ１３３０によって実行される命令によって決定することが可能である。
【００８１】
次いで、すべてのデータ流れに関する変調記号は（例えば、ＯＦＤＭの場合）変調記号をさらに処理することが可能なＴＸ  ＭＩＭＯプロセッサ１３２０に提供される。次いで、ＴＸ  ＭＩＭＯプロセッサ１３２０は、ＮＴ個の変調記号流れをＮＴ個の送信機（ＴＭＴＲ）１３２２ａないし１３２２ｔに提供する。いくつかの実施形態では、ＴＸ  ＭＩＭＯプロセッサ１３２０は、ビーム形成重みをデータ流れの記号と、そこからその記号が送信されているアンテナとに加える。
【００８２】
それぞれの送信機１３２２は、それぞれの記号流れを受信して、１つまたは複数のアナログ信号を提供するために当該信号流れを処理し、ＭＩＭＯチャネル上での伝送に適した変調信号を提供するためにそのアナログ信号をさらに条件付ける（例えば、増幅、フィルタ処理、およびアップコンバートする）。送信機１３２２ａないし１３２２ｔからのＮＴ個の変調信号は、次いで、それぞれ、ＮＴ本のアンテナ１３２４ａないし１３２４ｔから送信される。
【００８３】
受信機システム１３５０で、送信された変調記号はＮＲ本のアンテナ１３５２ａないし１３５２ｒによって受信されて、それぞれのアンテナ１３５２からの受信信号はそれぞれの受信機（ＲＣＶＲ）１３５４ａないし１３５４ｒに提供される。それぞれの受信機１３５４は、それぞれの受信信号を条件付け（例えば、フィルタ処理、増幅、およびダウンコンバート）して、サンプルを提供するために条件付けされた信号をデジタル化し、対応する「受信」記号流れを提供するためにそのサンプルをさらに処理する。
【００８４】
次いで、ＲＸデータプロセッサ１３６０は、ＮＲ個の受信記号流れをＮＲ個の受信機１３５４から受信して、ＮＴ個の「検出」記号流れを提供するために特定の受信機処理技術に基づいて当該受信記号流れを処理する。次いで、ＲＸデータプロセッサ１３６０は、そのデータ流れ向けのトラヒックデータを回復するためにそれぞれの検出された記号流れを復調、ディインタリーブ、および復号する。ＲＸデータプロセッサ１３６０による処理は、送信機システム１３１０においてＴＸ  ＭＩＭＯプロセッサ１３２０およびＴＸデータプロセッサ１３１４によって実行される処理に対して補完的である。
【００８５】
プロセッサ１３７０は、どのプリコーディング行列を使用するかを定期的に決定する。プロセッサ１３７０は、行列指数(matrix index)部分とランク値部分とを備える逆方向リンクメッセージを定式化する。逆方向リンクメッセージは、通信リンクおよび／または受信データ流れに関する様々なタイプの情報を備え得る。次いで、逆方向リンクメッセージは、データソース１３３６からいくつかのデータ流れ向けのトラヒックデータも受信するＴＸデータプロセッサ１３３８によって処理され、変調器１３８０によって変調され、送信機１３５４ａないし１３５４ｒによって条件付けされて、送信機システム１３１０に送信し戻される。
【００８６】
送信機システム１３１０で、受信機システム１３５０からの変調信号はアンテナ１３２４によって受信されて、受信機１３２２によって条件付けされ、復調器１３４０によって復調され、受信機システム１３５０によって送信された逆方向リンクメッセージを抽出するためにＲＸデータプロセッサ１３４２によって処理される。次いで、プロセッサ１３３０は、ビーム形成重みを決定するためにどのプリコーディング行列を使用するかを決定し、次いで、抽出されたメッセージを処理する。本発明の様々な態様によれば、送信機システム１３１０は、本発明のその他の態様の中でも、受信機システム１３５０からの測定報告を受信し、カプセル化して、転送することが可能である。
【００８７】
図１４を参照すると、例示されるのは、本発明の様々な非限定的な実施形態によるｅノードＢ間ハンドオーバを容易にする装置１４００である。例えば、装置１４００は基地局内の少なくとも一部に存在し得る。装置１４００は、プロセッサ、ソフトウェア、またはそれらの組合せ（例えば、ファームウェア）によって実施される機能を表す機能ブロックであり得る機能ブロックを含むとして表される点を理解すべきである。加えて、基地局は、様々なノードＢに関するＵＥの特定の環境に応じて、通常、ソースノードまたはターゲットノードの役割を実行するため、基地局の機能性はターゲットノード動作およびソースノード動作の両方に関して要求される機能性を含み得る。例えば、装置１４００は、一緒に動作することが可能な電気コンポーネントの論理グルーピング(logical grouping)１４０２を含む。例えば、ソース論理グルーピング１４０２は、ターゲットノードによって作成されたハンドオーバコマンドを受信するための電気コンポーネント１４０４を含み得る。さらに、論理グルーピング１４０２は、図４〜６に関して上記にさらに詳細に説明されたように、ハンドオーバコマンドを無線リソース制御メッセージ内にカプセル化するための電気コンポーネント１４０６を含み得る。論理グルーピング１４０２は、ハンドオーバコマンドに関連する無線端末とソースノードの間の既存のセキュリティアソシエーションに基づいて、カプセル化されたハンドオーバコマンドを暗号化するための電気コンポーネント１４０８と、インテグリティチェック情報のうちの１つまたは複数と無線リソース制御ヘッダ(one or more of integrity check information and a Radio Resource Control header)を添付するための電気コンポーネント１４１０と、カプセル化されたハンドオーバコマンドをハンドオーバコマンドに関連する無線端末に送信するための電気コンポーネント１４１２と、をさらに含み得る。別の例として、ターゲットノード論理グルーピング１４１４は、測定報告情報を受信および処理するための電気コンポーネント１４１６を含み得る。さらに、論理グルーピング１４１４は、測定報告情報内に含まれた、ハンドオーバ完了機能の実行を容易にするための補足情報を処理するための電気コンポーネント１４１８を含み得る。論理グルーピング１４１４は、測定報告情報に関連する無線端末に関するハンドオーバ決定を決定するための電気コンポーネント(electrical components for determining a handover decision concerning a wireless terminal associated with the measurement report information)１４２０と、ハンドオーバコマンドを無線端末に送信するための電気コンポーネント１４２２と、ハンドオーバ完了機能の実行を容易にするための追加情報をハンドオーバコマンドに含むための電気コンポーネント１４２４と、をさらに含み得る。加えて、装置１４００は、論理グルーピング１４０２および１４１４の電気コンポーネントに関連する機能を実行するための命令を保存するメモリ１４２６を含み得る。メモリ１４２６の外付けであるとして示されるものの、論理グルーピング１４０２および１４１４の１つまたは複数の電気コンポーネントはメモリ１４２６内に存在し得る点を理解すべきである。
【００８８】
図１５を参照すると、例示されるのは、本発明の様々な非限定的な実施形態によるｅノードＢ間ハンドオーバを可能にする装置１５００である。例えば、装置１５００は無線端末内に少なくとも部分的に存在し得る。装置１５００は、プロセッサ、ソフトウェア、またはそれらの組合せ（例えば、ファームウェア）によって実施される機能を表す機能ブロックであり得る機能ブロックを含むとして示される点を理解すべきである。装置１５００は、一緒に動作することが可能な電気コンポーネントの論理グルーピング１５０２を含む。例えば、論理グルーピング１５０２は、ノード間メッセージ（例えば、ｅノードＢ間メッセージ）内にソース基地局カプセル化するために測定報告情報をソース基地局に送信して、ターゲット基地局に転送するための電気コンポーネント１５０４を含み得る。さらに、論理グルーピング１５０２は、図４、５および７に関して上記にさらに詳細に説明されたように、ターゲット基地局から転送されたソース基地局カプセル化されたハンドオーバコマンド(source base station encapsulated handover command)を受信するための電気コンポーネント１５０６を含み得る。加えて、論理グルーピング１５０２は、カプセル化されたハンドオーバコマンド内に含まれた、ハンドオーバ完了表示を生成することを容易にするために補足情報を処理するための電気コンポーネント１５０８を含み得る。さらに、論理グルーピング１５０２は、ハンドオーバ完了表示を生成することを容易にするために追加情報を測定報告情報に添付するための電気コンポーネント１５１０を含み得る。加えて、装置１５００は、電子コンポーネント１５０４、１５０６、１５０８および１５１０に関連する機能を実行するための命令を保存するメモリ１５１２を含み得る。メモリ１５１２の外付けであるとして示されるものの、電気コンポーネント１５０４、１５０６、１５０８および１５１０のうちの１つまたは複数はメモリ１５１２内に存在し得る点を理解すべきである。
【００８９】
本発明の様々な実施形態は、いくつかの実施形態を実施する装置、例えば、移動体端末、基地局、または通信システムなどの移動体ノードに関する。いくつかの実施形態では、アクセスノードは、ＯＦＤＭおよび／またはＣＤＭＡを使用して移動体ノードとの通信リンクを確立する基地局として実施される。様々な実施形態では、移動体ノードは、いくつかの実施形態の方法を実施するためのノートブックコンピュータ、携帯情報端末（ＰＤＡ）、あるいは受信機／送信機回路および論理および／またはルーチンを含むその他の携帯デバイスとして実施される。
【００９０】
別の実施形態は、方法、例えば、いくつかの実施形態に従って、移動体ノード、基地局および／もしくは通信システム（例えば、ホスト）を制御ならびに／または操作する方法にも関する。様々な実施形態では、ここに説明されたノードは、いくつかの実施形態の１つまたは複数の方法に対応するステップ（例えば、メッセージの生成および／または伝送、メッセージの受信および／または処理、メッセージカプセル化など）を実行するための１つまたは複数のモジュールを使用して実施される。したがって、いくつかの実施形態では、いくつかの実施形態の様々な特徴はモジュールを使用して実施される。下記に説明されるように、そのようなモジュールは、ソフトウェア、ハードウェアまたはソフトウェアとハードウェアの組合せを使用して実施することが可能である。
【００９１】
開示されたプロセス内のステップの特定の順序または階層は例示的な手法の例である点を理解すべきである。構成の選択に基づいて、依然として本開示の範囲内にありながら、プロセス内のステップの特定の順序または階層を再構成することが可能である点を理解すべきである。方法クレームは、様々なステップのエレメントを見本順序で提示し、提示された特定の順序または階層に限定されることを意味しない。
【００９２】
さらに別の実施形態は、例えば、１つまたは複数のノード内で上述の方法のすべてまたは一部を実施するために機械（例えば、追加のハードウェアの有無にかかわらず汎用コンピュータ）を制御するための機械可読命令を含む機械可読媒体（例えば、ＲＯＭ、ＲＡＭ、ＣＤ、ハードディスクなど）にも関する。したがって、とりわけ、いくつかの実施形態は、機械（例えば、プロセッサおよび関連するハードウェア）に上述の（１つまたは複数の）方法の１つまたは複数のステップを実行させるための機械実行可能命令を含む機械可読媒体に関する。
【００９３】
当業者は、情報および信号は様々な異なる技術および技法のいずれかを使用して表すことが可能である点を理解されよう。例えば、上記の説明の全体にわたって参照され得るデータ、命令、コマンド、情報、信号、ビット、記号、およびチップは、電圧、電流、電磁波、磁場もしくは磁粉、光場もしくは光粒子、またはそれらの任意の組合せによって表すことが可能である。
【００９４】
ここに説明される１つまたは複数の態様にしたがい、ｅノードＢ間ハンドオーバに関して推定を行うことが可能である点を理解されよう。ここに使用されるように、用語「推論する(infer)」または「推論(inference)」は、通常、事象および／またはデータを介して捕捉された観察のセットからシステム、環境、および／またはユーザ、移動体デバイス、所望される動作もしくは事象、ならびに基地局の状態を判断することあるいは推論するというプロセスを指す。例えば、推論は、特定の文脈もしくは動作を識別するために用いることが可能であり、あるいは状態に関する確率分布を生成することも可能である。推論は確率的、すなわち、データおよび事象の考慮事項に基づいて当該状態に関する確率分布を演算することであり得る。推論は、事象および／またはデータのセットからより高いレベルの事象を構成するために用いられる技術を指す場合もある。そのような推論は、その事象が密接な時間的接近性(close temporal proximity)で相関しているか否かにかかわらず、また事象ならびにデータが１つの事象およびデータソースから来たかまたは複数の事象およびデータソースから来たかにかかわらず、観測された事象および／または記憶された事象データのセットから新しい事象もしくは動作の構築をもたらす。
【００９５】
例によれば、上記に提示された１つまたは複数の方法は、測定報告を比較することに関して推論を行うことを含み得る。別の例によれば、推論はハンドオーバ決定を行うことに関して行うことが可能である。前述の例は本質的に例示的であり、ここに説明された様々な実施形態および／もしくは方法に関して行われ得る推論の数またはそのような推論が行われる方式を限定することが意図されない点を理解されよう。
【００９６】
当業者は、ここに開示された実施形態に関して説明された様々な例示的な論理ブロック、モジュール、回路、およびアルゴリズムステップは、電子ハードウェア、コンピュータソフトウェア、ファームウェア、ミドルウェア、マイクロコード、またはそれらの任意の組合せとして実施することが可能である点をさらに理解されよう。この交換可能性を明確に例示するために、様々な例示的なコンポーネント、ブロック、モジュール、回路およびステップは、上記に一般にそれらの機能性の点で説明されている。そのような機能性がハードウェアとして実施されるか、ソフトウェアとして実施されるか、またはその他の方法として実施されるかは、特定のアプリケーションおよびシステム全体に課せられた設計制約に依存する。当業者は、それぞれの特定のアプリケーションに関して説明された機能性を様々な方式で実施することが可能であるが、そのような実施決定は本開示の範囲からの逸脱を生じさせるものと解釈されるべきではない。
【００９７】
ここに開示された実施形態に関して説明された様々な例示的な論理ブロック、モジュール、および回路は、汎用プロセッサ、デジタル信号プロセッサ（ＤＳＰ）、特定用途向け集積回路（ＡＳＩＣ）、デジタル信号処理装置（ＤＳＰＤ）、プログラム可能な論理素子（ＰＬＤ）、フィールドプログラム可能なゲートアレー（ＦＰＧＡ）、プロセッサ、コントローラ、マイクロコントローラ、マイクロプロセッサ、離散ゲートもしくはトランジスタ論理、離散的ハードウェアコンポーネント、またはその他の電子装置、あるいはここに説明された機能を実行するように設計されたそれらの任意の組合せによって実施または実行することが可能である。さらに、汎用プロセッサはマイクロプロセッサであってよいが、代替では、プロセッサは任意の通常のプロセッサ、コントローラ、マイクロコントローラ、または状態機械であってよい。加えて、プロセッサはコンピューティングデバイスの組合せ（例えば、ＤＳＰとマイクロプロセッサの組合せ、複数のマイクロプロセッサ、ＤＳＰコアと共に１つもしくは複数のマイクロプロセッサ、または任意のその他のそのような構成）として実施することも可能である。
【００９８】
ここに説明されたシステムおよび／または方法がソフトウェア、ファームウェア、ミドルウェアもしくはマイクロコード、プログラムコードまたはコード区分として実施される場合、これらは記憶コンポーネントなどの機械可読媒体内に記憶することが可能である。コード区分は手順、機能、サブプログラム、プログラム、ルーチン、サブルーチン、モジュール、ソフトウェアパッケージ、クラス、または命令、データ構造、もしくはプログラム文の任意の組合せを表すことが可能である。コード区分は、情報、データ、引数、パラメータ、またはメモリコンテンツを引き渡すことおよび／もしくは受信することによって、別のコード区分またはハードウェア回路に結合され得る。情報、引数、パラメータ、データなどは、メモリ共有、メッセージ引渡し、トークン引渡し、ネットワーク伝送などを含めて、任意の適切な手段を使用して引き渡すこと、転送すること、または送信することが可能である。
【００９９】
ここに開示された実施形態に関して説明された方法またはアルゴリズムのステップは、ハードウェアの形で直接的に、プロセッサによって実施されるソフトウェアモジュール（例えば手順、機能など）の形で、またはここに説明された機能を実行するハードウェアおよびソフトウェアの組合せの形で実施することが可能である。ソフトウェアコードは、メモリ装置内に記憶されて、プロセッサによって実行することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野で知られている任意のその他の形式の記憶媒体の中に存在し得る。メモリ装置はプロセッサ内で実施することが可能であり、またはプロセッサの外部で実施することも可能であり、その場合、メモリ装置は様々な手段を介してプロセッサに通信可能に結合され得る。例えば、例示的な記憶媒体は、プロセッサがその記憶媒体から情報を読み取り、その記憶媒体に情報を書き込むことが可能なようにプロセッサに結合され得る。代替では、記憶媒体はプロセッサと一体であってよい。プロセッサおよび記憶媒体はＡＳＩＣ内に存在することが可能であり、ＡＳＩＣはユーザ端末内に存在し得る。代替では、プロセッサおよび記憶媒体はユーザ端末内の離散的コンポーネントとして存在し得る。
【０１００】
上記に説明されたことは、当業者が本開示を行うことまたは本開示を使用することを可能にするために開示された主題の実施形態を含む。当然、そのような主題を説明する目的でコンポーネントまたは方法のすべての考えられる組合せを説明することは不可能である。これらの実施形態に対する様々な修正形態は当業者に容易に明らかになるであろう。またここに定義された包括的な原理は、本開示の精神または範囲から逸脱せずにその他の実施形態に適用することが可能である。したがって、本開示はここに示される実施形態に限定されるようには意図されておらず、ここに開示された原理および新規な特徴に整合するもっとも広い範囲が与えられるべきである。したがって、主題は、添付された特許請求の範囲の精神および範囲の中に入るすべてのそのような変更、修正、および変形を包含するように意図されている。さらに、用語「含む(includes)」が詳細な説明あるいは特許請求の範囲のいずれかにおいて使用される範囲において、そのような用語は、用語「備える(comprising)」が特許請求の範囲においてトランジショナルワード(transitional word)として使用されるときに解釈されるように、用語「備える」と同様な方法で包括的であるように意図されている。
以下に本件出願当初の特許請求の範囲に記載された発明を付記する。
[Ｃ１］
無線通信システムにおいて使用される方法であって、
ターゲット基地局によって作成されたハンドオーバコマンドメッセージを、ソース基地局によって、受信することと、
前記ハンドオーバコマンドメッセージを無線リソース制御メッセージ内に、前記ソース基地局によって、カプセル化することと、
を備える方法。
[Ｃ２］
前記ハンドオーバコマンドメッセージに関連する無線端末と前記ソース基地局との間の既存のセキュリティアソシエーションに基づいて、カプセル化されたハンドオーバコマンドメッセージを暗号化すること、をさらに備える[Ｃ１］に記載の方法。
[Ｃ３］
前記カプセル化することは、前記ソース基地局によってインテグリティチェック情報を添付すること、をさらに備える、[Ｃ１］に記載の方法。
[Ｃ４］
前記カプセル化することは、無線リソース制御ヘッダを添付することをさらに備える、[Ｃ１］に記載の方法。
[Ｃ５］
前記無線リソース制御ヘッダは、メッセージ判別子およびトランザクション識別子のうちの少なくとも１つを含む、[Ｃ４］に記載の方法。
[Ｃ６］
前記カプセル化されたハンドオーバコマンドメッセージを前記無線端末に送信すること、をさらに備える[Ｃ１］に記載の方法。
[Ｃ７］
無線通信システムにおいて使用される方法であって、
測定報告情報を、ターゲット基地局によって、受信することと、
前記測定報告情報を、前記ターゲット基地局によって、処理することと、
を備える方法。
[Ｃ８］
前記無線通信システムにおいてハンドオーバ完了インジケータを生成することを容易にするために、前記測定報告情報内に含まれた追加情報を処理すること、をさらに備える[Ｃ７］に記載の方法。
[Ｃ９］
前記測定報告情報に関連する移動体デバイスに関するハンドオーバ決定を、前記ターゲット基地局によって、決定すること、をさらに備える[Ｃ７］に記載の方法。
[Ｃ１０］
前記ターゲット基地局によって、ハンドオーバコマンドを前記移動体デバイスに送信すること、をさらに備え、前記ハンドオーバコマンドは、前記無線通信システムにおいて前記ハンドオーバ完了インジケータを生成することを容易にするために、補足情報を含む、[Ｃ９］に記載の方法。
[Ｃ１１］
無線通信システムにおけるノード間転送のための方法であって、
ノードＢ間メッセージ内へのソースノードカプセル化のためにソースノードに測定報告メッセージを、移動体デバイスによって、送信することと、そして、ターゲットノードに転送することと、
前記ターゲットノードから転送されたソースノードカプセル化されたハンドオーバコマンドメッセージを、前記移動体デバイスによって、受信することと、
を備える方法。
[Ｃ１２］
前記無線通信システムにおいてハンドオーバ完了インジケータを生成することを容易にするために、前記カプセル化されたハンドオーバコマンドメッセージ内に含まれた補足情報を、前記移動体デバイスによって、処理すること、をさらに備える[Ｃ１１］に記載の方法。
[Ｃ１３］
前記無線通信システムにおいて前記ハンドオーバ完了インジケータを生成することを容易にするために、前記測定報告メッセージに追加情報を添付すること、をさらに備える[Ｃ１１］に記載の方法。
[Ｃ１４］
ターゲット基地局によって作成されたハンドオーバコマンドを、ソース基地局によって、受信するための、そして、前記ハンドオーバコマンドを無線リソース制御メッセージ内に、前記ソース基地局によって、カプセル化するための、命令を、保持するメモリと、  前記メモリ内で前記命令を実行するように構成されたプロセッサと、
を備える通信装置。
[Ｃ１５］
前記カプセル化するための命令は、前記ハンドオーバコマンドに関連する移動体装置と前記ソース基地局との間の既存のセキュリティ関係を利用して、カプセル化されたハンドオーバコマンドを暗号化するための命令を、さらに備える、[Ｃ１４］に記載の通信装置。
[Ｃ１６］
前記カプセル化するための命令は、インテグリティ保護情報のうちの１つまたは複数と無線リソース制御ヘッダを添付するための命令を、さらに備える、[Ｃ１４］に記載の通信装置。
[Ｃ１７］
前記メモリは、カプセル化されたハンドオーバコマンドを前記移動体デバイスに送信するための命令を、さらに保存する、[Ｃ１４］に記載の通信装置。
[Ｃ１８］
測定報告メッセージを、ターゲットノードによって、受信および処理するための命令を保存するメモリと、
前記メモリ内で前記命令を実行するように構成されたプロセッサと、
を備える通信装置。
[Ｃ１９］
前記処理するための命令は、ハンドオーバ完了表示を作成するために前記測定報告メッセージ内に含まれた追加情報を処理するための命令、をさらに備える、[Ｃ１８］に記載の通信装置。
[Ｃ２０］
前記処理するための命令は、前記測定報告メッセージに関連する無線端末に関するハンドオーバ決定を、前記ターゲットノードによって、決定するための命令、をさらに備える、[Ｃ１８］に記載の通信装置。
[Ｃ２１］
前記メモリは、前記ターゲットノードによって、ハンドオーバコマンドメッセージを前記無線端末に送信するための命令をさらに保存し、前記ハンドオーバコマンドメッセージは、前記ハンドオーバ完了表示を作成することを容易にするために補足情報を含む、[Ｃ２０］に記載の通信装置。
[Ｃ２２］
ノード間メッセージ内へのソースノードカプセル化のために測定報告メッセージをソースノードに送信するための、ターゲットノードに転送するための、そして、前記ターゲットノードから転送されたソースノードカプセル化されたハンドオーバコマンドメッセージを受信するための、命令を保存するメモリと、
前記メモリ内で前記命令を実行するように構成されたプロセッサと、
を備える通信装置。
[Ｃ２３］
前記メモリは、ハンドオーバ完了表示を生成することを容易にするために、前記カプセル化されたハンドオーバコマンドメッセージ内に含まれた補足情報を処理するための命令を、さらに保存する、[Ｃ２２］に記載の通信装置。
[Ｃ２４］
前記メモリは、前記ハンドオーバ完了インジケータを生成することを容易にするために、追加情報を前記測定報告メッセージに添付するための命令を、さらに保存する、[Ｃ２２］に記載の通信装置。
[Ｃ２５］
ターゲットノードによって作成されたハンドオーバコマンドを、ソースノードによって、受信するための手段と、
前記ハンドオーバコマンドを無線リソース制御メッセージ内に、前記ソースノードによって、カプセル化するための手段と、
を備える通信装置。
[Ｃ２６］
前記カプセル化するための手段は、前記ハンドオーバコマンドに関連する無線端末と前記ソースノードとの間の既存のセキュリティ関係に基づいて、カプセル化されたハンドオーバコマンドを暗号化するための手段、をさらに備える、[Ｃ２５］に記載の通信装置。
[Ｃ２７］
前記カプセル化するための手段は、インテグリティチェック情報のうちの１つまたは複数と無線リソース制御ヘッダとを添付するための手段、をさらに備える、[Ｃ２５］に記載の通信装置。
[Ｃ２８］
カプセル化されたハンドオーバコマンドを前記無線端末に送信するための手段、をさらに備える[Ｃ２５］に記載の通信装置。
[Ｃ２９］
無線通信システムにおいて動作可能な通信装置であって、前記装置は、
測定報告情報を、ターゲット基地局によって、受信するための手段と、
前記測定報告情報を、前記ターゲット基地局によって、処理するための手段と、
を備える、
通信装置。
[Ｃ３０］
前記無線通信システムにおいてハンドオーバ完了機能を実行することを容易にするために、前記測定報告情報内に含まれた補足情報を処理するための手段、をさらに備える[Ｃ２９］に記載の通信装置。
[Ｃ３１］
前記測定報告情報に関連する無線端末に関するハンドオーバ決定を、前記ターゲット基地局によって、決定するための手段、をさらに備える[Ｃ２９］に記載の通信装置。
[Ｃ３２］
前記ターゲット基地局によって、ハンドオーバコマンドを前記無線端末に送信するための手段、をさらに備え、前記ハンドオーバコマンドは、前記無線通信システムにおいて前記ハンドオーバ完了機能を実行することを容易にするための追加情報を含む、[Ｃ３１］に記載の通信装置。
[Ｃ３３］
ノード間メッセージ内へのソース基地局カプセル化のために、測定報告情報をソース基地局に送信し、そして、ターゲット基地局に転送する、ための手段と、
前記ターゲット基地局から転送された、ソース基地局カプセル化されたハンドオーバコマンド、を受信するための手段と、
を備える通信装置。
[Ｃ３４］
ハンドオーバ完了表示を生成することを容易にするために、前記カプセル化されたハンドオーバコマンド内に含まれた補足情報を処理するための手段、をさらに備える[Ｃ３３］に記載の通信装置。
[Ｃ３５］
前記ハンドオーバ完了表示を生成することを容易にするために、追加情報を前記測定報告情報に添付するための手段、をさらに備える[Ｃ３３］に記載の通信装置。
[Ｃ３６］
ターゲットノードによって作成されたハンドオーバコマンドメッセージを、ソースノードによって、受信するための第１の命令セットと、
前記ハンドオーバコマンドメッセージを無線リソース制御メッセージ内に、前記ソースノードによって、カプセル化するための第２の命令セットと、
を備えるコンピュータ実行可能命令、を格納しているコンピュータ可読媒体。
[Ｃ３７］
前記ハンドオーバメッセージに関連する移動体デバイスと前記ソースノードとの間の既存のセキュリティ関係に基づいて、カプセル化されたハンドオーバコマンドメッセージを暗号化するための第３の命令セット、をさらに備える[Ｃ３６］に記載のコンピュータ可読媒体。
[Ｃ３８］
インテグリティ保護情報のうちの１つまたは複数と無線リソース制御ヘッダを添付するための第４の命令セットをさらに備える、[Ｃ３６］に記載のコンピュータ可読媒体。
[Ｃ３９］
カプセル化されたハンドオーバコマンドメッセージを前記移動体デバイスに送信するための第５の命令セット、をさらに備える[Ｃ３６］に記載のコンピュータ可読媒体。
[Ｃ４０］
測定報告メッセージを、ターゲット基地局により、受信するための第１の命令セットと、
前記測定報告メッセージを、前記ターゲット基地局によって、処理するための第２の命令セットと、
を備えるコンピュータ実行可能命令、を格納しているコンピュータ可読媒体。
[Ｃ４１］
ハンドオーバ完了インジケータを生成することを容易にするために、前記測定報告メッセージ内に含まれた補足情報を処理するための第３の命令セット、をさらに備える[Ｃ４０］に記載のコンピュータ可読媒体。
[Ｃ４２］
前記測定報告メッセージに関連する移動体デバイスに関するハンドオーバ決定を、前記ターゲット基地局によって、生成するための第４の命令セット、をさらに備える[Ｃ４０］に記載のコンピュータ可読媒体。
[Ｃ４３］
前記ターゲット基地局によって、ハンドオーバコマンドを前記移動体デバイスに送信するための第５の命令セット、をさらに備え、前記ハンドオーバコマンドは、前記ハンドオーバ完了インジケータを生成することを容易にするために、追加情報を含む、[Ｃ４２］に記載のコンピュータ可読媒体。
[Ｃ４４］
無線通信システムにおいて、
ターゲット基地局によって作成されたハンドオーバコマンドメッセージを、ソース基地局によって、受信し、
前記ハンドオーバコマンドメッセージを無線リソース制御メッセージ内に、前記ソース基地局によって、カプセル化する、
ように構成されたプロセッサと、
前記プロセッサに結合されたメモリと、
を備える装置。
[Ｃ４５］
前記プロセッサは、前記ハンドオーバコマンドメッセージに関連する加入者装置と前記ソース基地局との間の既存のセキュリティ関係を利用して、カプセル化されたハンドオーバコマンドメッセージを暗号化するようにさらに構成されている、[Ｃ４４］に記載の通信装置。
[Ｃ４６］
前記プロセッサは、無線リソース制御ヘッダとインテグリティ保護情報のうちの少なくとも１つを添付するようにさらに構成されている、[Ｃ４４］に記載の通信装置。
[Ｃ４７］
前記プロセッサは、カプセル化されたハンドオーバコマンドを前記加入者装置に送信するようにさらに構成されている、[Ｃ４４］に記載の通信装置。
[Ｃ４８］
無線通信システムにおいて、
測定報告メッセージを、ターゲットノードによって、受信し、
前記測定報告メッセージを、前記ターゲットノードによって、処理する、
ように構成されたプロセッサと、
前記プロセッサに結合されたメモリと、
を備える装置。
[Ｃ４９］
前記プロセッサは、ハンドオーバ完了表示を生成することを容易にするために、前記測定報告メッセージ内に含まれた追加情報を抽出するようにさらに構成されている、[Ｃ４８］に記載の通信装置。
[Ｃ５０］
前記プロセッサは、前記測定報告メッセージに関連する移動体デバイスに関するハンドオーバ決定を、前記ターゲットノードによって、決定するようにさらに構成されている、[Ｃ４８］に記載の通信装置。
[Ｃ５１］
前記プロセッサは、前記ターゲットノードによって、ハンドオーバコマンドを前記移動体デバイスに送信するようにさらに構成され、前記ハンドオーバコマンドは、前記ハンドオーバ完了インジケータ表示を生成することを容易にするために補足情報を含む、[Ｃ５０］に記載の通信装置。
[Ｃ５２］
無線通信システムにおいて、
ノード間メッセージ内へのソース基地局カプセル化のために測定報告メッセージをソース基地局に送信し、ターゲット基地局に転送するように、そして
前記ターゲット基地局から転送された、ソース基地局カプセル化されたハンドオーバコマンドメッセージを受信する、
ように構成されたプロセッサと；
前記プロセッサに結合されたメモリと；
を備える装置。
[Ｃ５３］
前記プロセッサは、前記無線通信システムにおいてハンドオーバ完了インジケータを生成することを容易にするために、前記カプセル化されたハンドオーバコマンドメッセージ内に含まれた補足情報を処理するようにさらに構成されている、[Ｃ５２］に記載の通信装置。
[Ｃ５４］
前記プロセッサは、前記無線通信システムにおいて前記ハンドオーバ完了インジケータを生成することを容易にするために、前記測定報告メッセージに追加情報を添付するようにさらに構成されている、[Ｃ５２］に記載の通信装置。
【図１】
0005518962.tif 000002
【図２】
0005518962.tif 000003
【図３Ａ】
0005518962.tif 000004
【図３Ｂ】
0005518962.tif 000005
【図４Ａ】
0005518962.tif 000006
【図４Ｂ】
0005518962.tif 000007
【図４Ｃ】
0005518962.tif 000008
【図５】
0005518962.tif 000009
【図６】
0005518962.tif 000010
【図７】
0005518962.tif 000011
【図８】
0005518962.tif 000012
【図９】
0005518962.tif 000013
【図１０】
0005518962.tif 000014
【図１１】
0005518962.tif 000015
【図１２】
0005518962.tif 000016
【図１３】
0005518962.tif 000017
【図１４】
0005518962.tif 000018
【図１５】
0005518962.tif 000019